(57)【要約】【課題】ＡＦＣの精度の低下を防止すること。【解決手段】基地局装置１１０は、受信処理部１１１と、調整部１１２と、を備える。受信処理部１１１は、端末装置１２１，１２２からの所定信号が同一のタイミングに多重して送信される制御チャネルによって端末装置１２１からの所定信号を受信する。また、受信処理部１１１は、受信した所定信号に基づいて、端末装置１２１から受信したデータ信号に対する自動周波数制御を行う。調整部１１２は、端末装置１２１，１２２のうち端末装置１２１と異なる端末装置１２２，…における所定信号の送信電力に基づいて、端末装置１２１における所定信号の送信電力の調整を行う。【選択図】図１
2017092511.tif 000002
【特許請求の範囲】
【請求項１】
複数の端末装置からの所定信号が同一のタイミングに多重して送信される制御チャネルによって前記複数の端末装置のうち対象端末装置からの前記所定信号を受信し、受信した前記所定信号に基づいて、前記対象端末装置から受信したデータ信号に対する自動周波数制御を行う受信処理部と、
前記複数の端末装置のうち前記対象端末装置と異なる端末装置における前記所定信号の送信電力に基づいて、前記対象端末装置における前記所定信号の送信電力の調整を行う調整部と、
を備えることを特徴とする基地局装置。
【請求項２】
前記調整部は、前記受信処理部によって前記自動周波数制御が行われた前記データ信号の受信品質が所定の受信品質より低い場合に、前記異なる端末装置の中で前記所定信号の送信電力が最大の端末装置における前記所定信号の送信電力に基づいて前記対象端末装置における前記所定信号の送信電力を増加させる前記調整を行うことを特徴とする請求項１に記載の基地局装置。
【請求項３】
前記調整部は、前記対象端末装置が一定の速度以上で移動中である場合は、前記データ信号の受信品質が前記所定の受信品質より低い場合であっても前記調整を行わないことを特徴とする請求項２に記載の基地局装置。
【請求項４】
前記調整部は、前記受信処理部によって前記自動周波数制御が行われた前記データ信号の受信品質が所定の受信品質以上であり、前記複数の端末装置における前記所定信号の送信電力の中で前記対象端末装置における前記所定信号の送信電力が最大である場合に、前記対象端末装置における前記所定信号の送信電力を低下させる調整を行うことを特徴とする請求項１〜３のいずれか一つに記載の基地局装置。
【請求項５】
前記調整部は、前記対象端末装置における前記所定信号の送信電力の調整を行った場合に、前記受信処理部によって前記自動周波数制御が行われた前記データ信号についての前記調整の前後における各受信品質を比較し、比較結果に基づいて、前記対象端末装置における前記所定信号の送信電力を、前記調整の前における前記対象端末装置における前記所定信号の送信電力に戻すことを特徴とする請求項１〜４のいずれか一つに記載の基地局装置。
【請求項６】
前記調整部は、前記対象端末装置における前記所定信号の送信電力の調整において、前記対象端末装置から自装置へのデータ信号の種別と、前記異なる端末装置から自装置へのデータ信号の種別と、の比較結果に基づいて、前記対象端末装置における前記所定信号の送信電力の調整の速さを設定することを特徴とする請求項１〜５のいずれか一つに記載の基地局装置。
【請求項７】
前記調整部は、前記複数の端末装置のそれぞれについて前記調整を行い、前記対象端末装置における前記所定信号の送信電力の調整において、前記対象端末装置についての前記調整の回数と、前記異なる端末装置についての前記調整の回数と、の比較結果に基づいて、前記対象端末装置における前記所定信号の送信電力の調整の速さを設定することを特徴とする請求項１〜６のいずれか一つに記載の基地局装置。
【発明の詳細な説明】
【技術分野】
【０００１】
本発明は、無線通信を行う基地局装置に関する。
【背景技術】
【０００２】
従来、無線通信システムにおいて、受信信号のスループットが低下した場合に信号の送信電力を調整する技術が知られている（たとえば、下記特許文献１〜５参照。）。また、端末装置から基地局装置へ周期的に送信される信号を利用して端末装置からの送信信号の周波数偏差を補償するＡＦＣ（Ａｕｔｏｍａｔｉｃ  Ｆｒｅｑｕｅｎｃｙ  Ｃｏｎｔｒｏｌ：自動周波数制御）が知られている。端末装置から基地局装置へ周期的に送信される信号としては、たとえばＣＱＩ（Ｃｈａｎｎｅｌ  Ｑｕａｌｉｔｙ  Ｉｎｄｉｃａｔｏｒ：チャネル品質指標）が用いられる。
【先行技術文献】
【特許文献】
【０００３】
【特許文献１】特開２０１４−４９８４１号公報
【特許文献２】特開平７−１０７０３３号公報
【特許文献３】特開２０１４−１２７９７６号公報
【特許文献４】特開２０１１−１６０３７６号公報
【特許文献５】国際公開第２００６／０８５３６５号
【発明の概要】
【発明が解決しようとする課題】
【０００４】
しかしながら、上述した従来技術では、たとえば上り制御チャネルの同じタイミングに対して多数の端末装置からのＣＱＩが高密度で多重されると、ＣＱＩ間の干渉が大きくなり、ＣＱＩに基づくＡＦＣの精度が低下するという問題がある。
【０００５】
１つの側面では、本発明は、ＡＦＣの精度の低下を防止することができる基地局装置を提供することを目的とする。
【課題を解決するための手段】
【０００６】
上述した課題を解決し、目的を達成するため、本発明の一側面によれば、複数の端末装置からの所定信号が同一のタイミングに多重して送信される制御チャネルによって前記複数の端末装置のうち対象端末装置からの前記所定信号を受信し、受信した前記所定信号に基づいて、前記対象端末装置から受信したデータ信号に対する自動周波数制御を行い、前記複数の端末装置のうち前記対象端末装置と異なる端末装置における前記所定信号の送信電力に基づいて、前記対象端末装置における前記所定信号の送信電力の調整を行う基地局装置が提案される。
【発明の効果】
【０００７】
本発明の一側面によれば、ＡＦＣの精度の低下を防止することができるという効果を奏する。
【図面の簡単な説明】
【０００８】
【図１】図１は、実施の形態にかかる通信システムの一例を示す図である。
【図２】図２は、実施の形態にかかる基地局装置の一例を示す図である。
【図３】図３は、実施の形態にかかる基地局装置のハードウェア構成の一例を示す図である。
【図４】図４は、実施の形態にかかる端末装置の一例を示す図である。
【図５】図５は、実施の形態にかかる端末装置のハードウェア構成の一例を示す図である。
【図６】図６は、実施の形態にかかる無線通信システムの一例を示す図である。
【図７】図７は、実施の形態にかかる無線通信システムにおけるＵＥの移動の一例を示す図である。
【図８】図８は、実施の形態にかかる無線通信システムにおけるアップリンクの帯域の一例を示す図である。
【図９】図９は、実施の形態にかかる無線通信システムにおけるＰＵＣＣＨの干渉の一例を示す図である。
【図１０】図１０は、実施の形態にかかる無線通信システムによる処理のタイミングの一例を示す図である。
【図１１】図１１は、実施の形態にかかるｅＮＢによる電力調整処理の一例を示すフローチャートである。
【図１２】図１２は、実施の形態にかかるｅＮＢによる対象ＵＥのＣＱＩ送信電力を上げる調整の処理の一例を示すフローチャートである。
【図１３】図１３は、実施の形態にかかるｅＮＢによるターゲット電力に基づく電力調整（ｕｐ）の処理の一例を示すフローチャートである。
【図１４】図１４は、実施の形態にかかるｅＮＢによるターゲット電力に基づく電力調整（ｕｐ）の処理の他の一例を示すフローチャートである。
【図１５】図１５は、実施の形態にかかるｅＮＢによる対象ＵＥのＣＱＩ送信電力を下げる調整の処理の一例を示すフローチャートである。
【図１６】図１６は、実施の形態にかかるｅＮＢによる電力調整（ｄｏｗｎ）の処理の一例を示すフローチャートである。
【図１７】図１７は、実施の形態にかかるｅＮＢによる電力調整確認処理の一例を示すフローチャート（その１）である。
【図１８】図１８は、実施の形態にかかるｅＮＢによる電力調整確認処理の一例を示すフローチャート（その２）である。
【図１９】図１９は、実施の形態にかかるｅＮＢが記憶する各ＵＥの情報の一例を示す図である。
【発明を実施するための形態】
【０００９】
以下に図面を参照して、本発明にかかる基地局装置の実施の形態を詳細に説明する。
【００１０】
（実施の形態）
（実施の形態にかかる通信システム）
図１は、実施の形態にかかる通信システムの一例を示す図である。図１に示すように、実施の形態にかかる通信システム１００は、基地局装置１１０と、端末装置１２１，１２２，…と、を含む。端末装置１２１，１２２，…は、基地局装置１１０との間で無線通信が可能な端末装置である。図１に示す例では、複数の端末装置（端末装置１２１，１２２，…）が基地局装置１１０と無線通信を行う状態について説明するが、基地局装置１１０と無線通信を行う端末装置は、各端末装置の移動状態に応じて１個や０個にもなり得る。
【００１１】
また、端末装置１２１，１２２，…は、アップリンクの制御チャネルにより、基地局装置１１０に対して所定信号を同一のタイミングに多重して送信する端末装置である。たとえば、基地局装置１１０は、自セルに接続する各端末装置に対して、所定信号を基地局装置１１０へ送信するタイミングを設定する。この場合に、端末装置１２１，１２２，…は、基地局装置１１０のセルに接続した端末装置のうち、基地局装置１１０によって同一のタイミングが設定された端末装置である。
【００１２】
アップリンクの制御チャネルは、一例としてはＰＵＣＣＨ（Ｐｈｙｓｉｃａｌ  Ｕｐｌｉｎｋ  Ｃｏｎｔｒｏｌ  Ｃｈａｎｎｅｌ：物理上りリンク制御チャネル）である。所定信号は、たとえばアップリンクの制御チャネルにより端末装置１２１，１２２，…から基地局装置１１０へ周期的に送信される制御信号である。一例としては、所定信号はＣＱＩである。下記においては、アップリンクの制御チャネルがＰＵＣＣＨであり、所定信号がＣＱＩである場合について説明する。
【００１３】
基地局装置１１０は、受信処理部１１１と、調整部１１２と、を備える。受信処理部１１１は、ＰＵＣＣＨによって端末装置１２１，１２２，…のうちの対象端末装置からのＣＱＩを受信する。対象端末装置は、ＣＱＩの送信電力の調整対象の端末装置である。ここでは端末装置１２１，１２２，…のうち端末装置１２１が対象端末装置であるとする。
【００１４】
受信処理部１１１は、端末装置１２１から受信したＣＱＩに基づいて、端末装置１２１から受信したデータ信号に対するＡＦＣを行う。たとえば、受信処理部１１１は、端末装置１２１から受信したＣＱＩの周波数偏差を推定する。周波数偏差は、たとえば端末装置１２１において送信信号の生成に用いられている発振器の精度の低さなどによって生じる、端末装置１２１から基地局装置１１０へ伝送される信号の周波数における目標値からのずれである。
【００１５】
受信処理部１１１は、推定した周波数偏差に基づいて、端末装置１２１から受信したデータ信号における周波数偏差を補償する。これにより、端末装置１２１から受信したデータ信号における周波数偏差を補償し、データ信号の受信品質を向上させることができる。また、受信処理部１１１は、周波数偏差を補償したデータ信号の復調結果に基づく受信品質を調整部１１２へ通知してもよい。
【００１６】
調整部１１２は、端末装置１２１，１２２，…のうち端末装置１２１と異なる端末装置１２２，…におけるＣＱＩの送信電力に基づいて、端末装置１２１におけるＣＱＩの送信電力の調整を行う。このとき、調整部１１２は、端末装置１２１におけるＣＱＩの送信電力、または端末装置１２１におけるＣＱＩを含むＰＵＣＣＨの送信電力の調整を行い、端末装置１２１におけるデータ信号の送信電力についての調整は行わなくてもよい。
【００１７】
たとえば、調整部１１２は、受信処理部１１１から通知された受信品質が所定の受信品質より低い場合に、端末装置１２２，…のうちＣＱＩの送信電力が最大の端末装置を特定する。そして、調整部１１２は、特定した端末装置におけるＣＱＩの送信電力に基づいて、端末装置１２１におけるＣＱＩの送信電力を増加させる調整を行う。一例としては、調整部１１２は、端末装置１２１におけるＣＱＩの送信電力を、特定した端末装置におけるＣＱＩの送信電力と同じになるように（近づくように）増加させる調整を行う。
【００１８】
また、調整部１１２は、受信処理部１１１から通知された受信品質が所定の受信品質以上である場合は、端末装置１２１におけるＣＱＩの送信電力を低下させる調整を行ってもよい。この場合は、たとえば、調整部１１２は、端末装置１２１，１２２，…におけるＣＱＩの各送信電力の中で端末装置１２１におけるＣＱＩの送信電力が最大である場合に、端末装置１２１におけるＣＱＩの送信電力を低下させる調整を行う。また、調整部１１２は、端末装置１２１，１２２，…におけるＣＱＩの各送信電力の中で端末装置１２１におけるＣＱＩの送信電力が最大でない場合は、端末装置１２１におけるＣＱＩの送信電力を低下させる調整を行わないようにしてもよい。
【００１９】
このように、実施の形態にかかる基地局装置１１０によれば、端末装置１２１からのＣＱＩの送信電力を、ＣＱＩの送信タイミングが端末装置１２１と同じである端末装置１２２，…からのＣＱＩの送信電力に基づいて調整することができる。これにより、同じタイミングに多重された各ＣＱＩの送信電力を合わせ、同じタイミングに多重された各ＣＱＩの送信電力が異なることによるＣＱＩ間の干渉を抑制することができる。これにより、ＣＱＩに基づくＡＦＣの精度の低下を防止することができる。
【００２０】
端末装置１２１，１２２，…のうち端末装置１２１を対象端末装置とする場合について説明したが、調整部１１２は、端末装置１２１を対象端末装置とする場合と同様に、端末装置１２２，…についても対象端末装置としてＣＱＩ送信電力を調整してもよい。
【００２１】
（実施の形態にかかる基地局装置）
図２は、実施の形態にかかる基地局装置の一例を示す図である。図２に示すように、実施の形態にかかる基地局装置１１０は、ベースバンド処理部２０１，２０５と、送信ＲＦ処理部／ＲＲＨ部２０２と、アンテナ２０３と、受信ＲＦ処理部／ＲＲＨ部２０４と、スケジューラ２０６と、装置制御部２０７と、を備える。
【００２２】
ベースバンド処理部２０１は、基地局装置１１０が送信すべきＤＬ（Ｄｏｗｎ  Ｌｉｎｋ：ダウンリンク）の送信信号に対するベースバンド処理を行い、ベースバンド処理により得られたＤＬベースバンド信号を送信ＲＦ処理部／ＲＲＨ部２０２へ出力する。また、ベースバンド処理部２０１は、スケジューラ２０６から通知されるＤＬスケジューリング情報やＵＬ（Ｕｐ  Ｌｉｎｋ：アップリンク）制御情報に基づいてベースバンド処理を行う。ＵＬ制御情報には、たとえば端末装置１２１，１２２，…に対してＣＱＩの送信電力（ＣＱＩ送信電力）の調整を指示するＴＰＣ（Ｔｒａｎｓｍｉｔ  Ｐｏｗｅｒ  Ｃｏｎｔｒｏｌ：送信電力制御）値が含まれる。ベースバンド処理部２０１は、スケジューラ２０６から出力されたＵＬ制御情報をＤＬベースバンド信号に含める。
【００２３】
送信ＲＦ処理部／ＲＲＨ部２０２は、ベースバンド処理部２０１から出力されたＤＬベースバンド信号に対するＲＦ処理やＲＲＨ（Ｒｅｍｏｔｅ  Ｒａｄｉｏ  Ｈｅａｄ：無線部）処理を行う。たとえば、送信ＲＦ処理部／ＲＲＨ部２０２は、ベースバンド処理部２０１から出力されたＤＬベースバンド信号に対して、デジタル信号からアナログ信号への変換、ベースバンド周波数からＲＦ周波数への変換、増幅などの送信ＲＦ処理を行う。そして、送信ＲＦ処理部／ＲＲＨ部２０２は、送信ＲＦ処理により得られたＤＬ信号をアンテナ２０３へ出力する。
【００２４】
また、アンテナ２０３が基地局装置１１０の本体から離れている場合は、送信ＲＦ処理部／ＲＲＨ部２０２は、アンテナ２０３とともに基地局装置１１０の本体から離れて設置されるＲＲＨとなる。この場合は、ベースバンド処理部２０１から出力されたＤＬベースバンド信号は、ＣＰＲＩ（Ｃｏｍｍｏｎ  Ｐｕｂｌｉｃ  Ｒａｄｉｏ  Ｉｎｔｅｒｆａｃｅ）などのインタフェースを介して送信ＲＦ処理部／ＲＲＨ部２０２へ送信される。送信ＲＦ処理部／ＲＲＨ部２０２は、インタフェースを介して送信されたＤＬベースバンド信号に対して、上述した送信ＲＦ処理を行う。そして、送信ＲＦ処理部／ＲＲＨ部２０２は、送信ＲＦ処理により得られたＤＬ信号をアンテナ２０３へ出力する。
【００２５】
アンテナ２０３は、送信ＲＦ処理部／ＲＲＨ部２０２から出力されたＤＬ信号を端末装置１２１，１２２，…へ無線送信する。また、アンテナ２０３は、端末装置１２１，１２２，…から無線送信されたＵＬ信号を受信し、受信したＵＬ信号を受信ＲＦ処理部／ＲＲＨ部２０４へ出力する。
【００２６】
受信ＲＦ処理部／ＲＲＨ部２０４は、アンテナ２０３から出力されたＵＬ信号に対するＲＦ処理やＲＲＨ処理を行う。たとえば、受信ＲＦ処理部／ＲＲＨ部２０４は、アンテナ２０３から出力されたＵＬ信号に対して、増幅、ＲＦ周波数からベースバンド周波数への変換、アナログ信号からデジタル信号への変換などの受信ＲＦ処理を行う。そして、受信ＲＦ処理部／ＲＲＨ部２０４は、受信ＲＦ処理により得られたＵＬベースバンド信号をベースバンド処理部２０５へ出力する。
【００２７】
また、アンテナ２０３が基地局装置１１０の本体から離れている場合は、受信ＲＦ処理部／ＲＲＨ部２０４は、アンテナ２０３とともに基地局装置１１０の本体から離れて設置されるＲＲＨとなる。この場合は、受信ＲＦ処理部／ＲＲＨ部２０４における受信ＲＦ処理により得られたＵＬベースバンド信号は、ＣＰＲＩなどのインタフェースを介してベースバンド処理部２０５へ送信される。
【００２８】
ベースバンド処理部２０５は、受信ＲＦ処理部／ＲＲＨ部２０４から出力されたＵＬベースバンド信号に対するベースバンド処理を行う。ベースバンド処理部２０５によるベースバンド処理には、基地局装置１１０からの信号における周波数偏差を推定し、推定した周波数偏差に基づいて、基地局装置１１０からの信号における周波数偏差を補償するＡＦＣが含まれる。また、ベースバンド処理部２０５は、スケジューラ２０６から通知されるＵＬスケジューリング情報に基づいてベースバンド処理を行う。ベースバンド処理部２０５は、ベースバンド処理により得られた受信信号を出力する。
【００２９】
スケジューラ２０６は、基地局装置１１０におけるアップリンク（ＵＬ）およびダウンリンク（ＤＬ）のスケジューリングを行う。そして、スケジューラ２０６は、ダウンリンクのスケジューリングの結果を示すＤＬスケジューリング情報をベースバンド処理部２０１へ出力する。また、スケジューラ２０６は、アップリンクのスケジューリングの結果を示すＵＬスケジューリング情報をベースバンド処理部２０５へ出力する。
【００３０】
また、スケジューラ２０６は、アップリンクについて、端末装置１２１，１２２，…によるＣＱＩ送信電力を調整する処理を行う。たとえば、スケジューラ２０６は、ベースバンド処理部２０５のＡＦＣによって得られた受信信号の受信品質に基づいて、端末装置１２１，１２２，…によるＣＱＩ送信電力の調整を行うためのＴＰＣ値を生成する。そして、スケジューラ２０６は、生成したＴＰＣ値を含むＵＬ制御情報をベースバンド処理部２０１へ出力することにより、ＴＰＣ値を含むＵＬ制御情報を端末装置１２１，１２２，…へ送信する。
【００３１】
装置制御部２０７は、ベースバンド処理部２０１、送信ＲＦ処理部／ＲＲＨ部２０２、受信ＲＦ処理部／ＲＲＨ部２０４、ベースバンド処理部２０５、スケジューラ２０６などの基地局装置１１０の各処理部の動作を制御する。
【００３２】
図１に示した受信処理部１１１は、たとえばベースバンド処理部２０５により実現することができる。また、図１に示した調整部１１２は、たとえばスケジューラ２０６により実現することができる。
【００３３】
（実施の形態にかかる基地局装置のハードウェア構成）
図３は、実施の形態にかかる基地局装置のハードウェア構成の一例を示す図である。図３に示すように、実施の形態にかかる基地局装置１１０は、アンテナ３０１，３０２と、インタフェース回路３０３と、ＲＦ回路３０４と、ＤＳＰ３１１，３２１と、ＦＰＧＡ３１２，３３２，３４１と、を備える。また、基地局装置１１０は、メモリ３１３，３２２，３３３と、ＣＰＵ３３１と、ＤＡＣ／ＡＤＣ３４２と、ミキサ３４３と、ＰＡ／ＬＮＡ３４４と、を備える。
【００３４】
インタフェース回路３０３は、ＲＦ回路３０４、ＦＰＧＡ３１２、ＤＳＰ３２１、ＣＰＵ３３１およびＦＰＧＡ３３２を接続するインタフェースを実現する回路である。ＤＳＰ３１１，３２１は、それぞれメモリ３１３，３２２を用いて演算を行うＤＳＰ（Ｄｉｇｉｔａｌ  Ｓｉｇｎａｌ  Ｐｒｏｃｅｓｓｏｒ）である。ＦＰＧＡ３１２，３３２は、それぞれメモリ３１３，３３３を用いて演算を行うＦＰＧＡ（Ｆｉｅｌｄ  Ｐｒｏｇｒａｍｍａｂｌｅ  Ｇａｔｅ  Ａｒｒａｙ）である。ＣＰＵ３３１は、メモリ３３３を用いて演算を行うＣＰＵ（Ｃｅｎｔｒａｌ  Ｐｒｏｃｅｓｓｉｎｇ  Ｕｎｉｔ）である。
【００３５】
メモリ３１３，３２２，３３３のそれぞれには、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＤＳＰ３１１，３２１またはＣＰＵ３３１のワークエリアとして使用される。補助メモリは、たとえば磁気ディスク、光ディスク、フラッシュメモリなどの不揮発メモリである。補助メモリには、基地局装置１１０を動作させる各種のプログラムが記憶されている。補助メモリに記憶されたプログラムは、メインメモリにロードされてＤＳＰ３１１，３２１またはＣＰＵ３３１によって実行される。
【００３６】
図２に示したアンテナ２０３は、たとえばアンテナ３０１，３０２のいずれかによって実現することができる。たとえば、アンテナ２０３が基地局装置１１０の本体付近に設けられる場合は、アンテナ２０３は、アンテナ３０１によって実現することができる。また、アンテナ２０３が基地局装置１１０の本体から離れた位置に設けられる場合は、アンテナ２０３は、アンテナ３０２によって実現することができる。
【００３７】
図２に示したベースバンド処理部２０１，２０５は、たとえばＤＳＰ３１１、ＦＰＧＡ３１２およびメモリ３１３によって実現することができる。図２に示したスケジューラ２０６は、たとえばＤＳＰ３２１およびメモリ３２２によって実現することができる。図２に示した装置制御部２０７は、たとえばＣＰＵ３３１、ＦＰＧＡ３３２およびメモリ３３３によって実現することができる。
【００３８】
アンテナ３０１によって端末装置１２１，１２２，…との無線通信を行う場合に、図２に示した送信ＲＦ処理部／ＲＲＨ部２０２は、たとえばＲＦ回路３０４により実現することができる。たとえば、ＲＦ回路３０４は、図２に示した送信ＲＦ処理部／ＲＲＨ部２０２による送信ＲＦ処理や受信ＲＦ処理部／ＲＲＨ部２０４による受信ＲＦ処理を行う変換器や増幅器等の回路を含む。この場合に、アンテナ３０１は、ＲＦ回路３０４から出力されたＤＬ信号を端末装置１２１，１２２，…へ無線送信する。また、アンテナ３０１は、端末装置１２１，１２２，…から無線送信されたＵＬ信号を受信し、受信したＵＬ信号をＲＦ回路３０４へ出力する。
【００３９】
アンテナ３０２によってＵＥとの無線通信を行う場合は、図２に示した送信ＲＦ処理部／ＲＲＨ部２０２は、たとえばＦＰＧＡ３４１、ＤＡＣ／ＡＤＣ３４２、ミキサ３４３およびＰＡ／ＬＮＡ３４４により実現することができる。ＦＰＧＡ３４１は、ＤＳＰ３１１またはＦＰＧＡ３１２からインタフェース回路３０３を介して出力されたＤＬベースバンド信号を、ＣＰＲＩ等のインタフェースにより受信し、受信したＤＬベースバンド信号をＤＡＣ／ＡＤＣ３４２へ出力する。また、ＦＰＧＡ３４１は、ＤＡＣ／ＡＤＣ３４２から出力されたＵＬベースバンド信号を、ＣＰＲＩ等のインタフェースにより、インタフェース回路３０３を介してＤＳＰ３１１またはＦＰＧＡ３１２へ送信する。
【００４０】
ＤＡＣ／ＡＤＣ３４２は、ＦＰＧＡ３４１から出力されたＤＬベースバンド信号をデジタル信号からアナログ信号に変換するＤＡＣ（Ｄｉｇｉｔａｌ／Ａｎａｌｏｇ  Ｃｏｎｖｅｒｔｅｒ：デジタル／アナログ変換器）を含む。ＤＡＣ／ＡＤＣ３４２は、ＤＡＣによってアナログ信号に変換したＤＬベースバンド信号をミキサ３４３へ出力する。また、ＤＡＣ／ＡＤＣ３４２は、ミキサ３４３から出力されたＵＬベースバンド信号をアナログ信号からデジタル信号に変換するＡＤＣ（Ａｎａｌｏｇ／Ｄｉｇｉｔａｌ  Ｃｏｎｖｅｒｔｅｒ：アナログ／デジタル変換器）を含む。ＤＡＣ／ＡＤＣ３４２は、ＡＤＣによってデジタル信号に変換したＵＬベースバンド信号をＦＰＧＡ３４１へ出力する。
【００４１】
ミキサ３４３は、ＤＡＣ／ＡＤＣ３４２から出力されたＤＬベースバンド信号を、ベースバンド周波数からＲＦ周波数に変換し、ＲＦ周波数に変換したＤＬ信号をＰＡ／ＬＮＡ３４４へ出力する。また、ミキサ３４３は、ＰＡ／ＬＮＡ３４４から出力されたＵＬ信号を、ＲＦ周波数からベースバンド周波数に変換し、ベースバンド周波数に変換したＵＬベースバンド信号をＤＡＣ／ＡＤＣ３４２へ出力する。
【００４２】
ＰＡ／ＬＮＡ３４４は、ミキサ３４３から出力されたＤＬ信号を増幅するＰＡ（Ｐｏｗｅｒ  Ａｍｐｌｉｆｉｅｒ：電力増幅器）を含む。ＰＡ／ＬＮＡ３４４は、ＰＡによって増幅したＤＬ信号をアンテナ３０２へ出力する。また、ＰＡ／ＬＮＡ３４４は、アンテナ３０２から出力されたＵＬ信号を増幅するＬＮＡ（Ｌｏｗ  Ｎｏｉｓｅ  Ａｍｐｌｉｆｉｅｒ：低雑音増幅器）を含む。ＰＡ／ＬＮＡ３４４は、ＬＮＡによって増幅したＵＬ信号をミキサ３４３へ出力する。
【００４３】
アンテナ３０２は、ＰＡ／ＬＮＡ３４４から出力されたＤＬ信号を端末装置１２１，１２２，…へ無線送信する。また、アンテナ３０２は、端末装置１２１，１２２，…から無線送信されたＵＬ信号を受信し、受信したＵＬ信号をＰＡ／ＬＮＡ３４４へ出力する。
【００４４】
（実施の形態にかかる端末装置）
図４は、実施の形態にかかる端末装置の一例を示す図である。端末装置１２１の構成について説明するが、端末装置１２２，…の構成についても同様である。図４に示すように、実施の形態にかかる端末装置１２１は、アプリケーション部４０１と、ベースバンド送受信処理部４０２と、ＲＦ処理部４０３と、アンテナ４０４と、を備える。
【００４５】
アプリケーション部４０１は、端末装置１２１が送信すべき送信信号を生成してベースバンド送受信処理部４０２へ出力する。また、アプリケーション部４０１は、ベースバンド送受信処理部４０２から出力された受信信号に基づく処理を行う。
【００４６】
ベースバンド送受信処理部４０２は、アプリケーション部４０１から出力された送信信号に対するベースバンド処理を行い、ベースバンド処理により得られたＤＬベースバンド信号をＲＦ処理部４０３へ出力する。また、ベースバンド送受信処理部４０２は、ＲＦ処理部４０３から出力されたＵＬベースバンド信号に対するベースバンド処理を行い、ベースバンド処理により得られた受信信号をアプリケーション部４０１へ出力する。
【００４７】
また、ベースバンド送受信処理部４０２は、ベースバンド処理により得られた受信信号に含まれるＵＬ制御情報から、基地局装置１１０からのＴＰＣ値を取得する。そして、ＲＦ処理部４０３は、取得したＴＰＣ値に従って、端末装置１２１が基地局装置１１０へ送信するＵＬ信号に含まれるＣＱＩ送信電力を調整する。
【００４８】
ＲＦ処理部４０３は、ベースバンド送受信処理部４０２から出力されたＤＬベースバンド信号に対するＲＦ処理を行う。たとえば、ＲＦ処理部４０３は、ベースバンド送受信処理部４０２から出力されたＤＬベースバンド信号に対して、デジタル信号からアナログ信号への変換、ベースバンド周波数からＲＦ周波数への変換、増幅などの送信ＲＦ処理を行う。そして、ＲＦ処理部４０３は、送信ＲＦ処理により得られたＤＬ信号をアンテナ４０４へ出力する。
【００４９】
また、ＲＦ処理部４０３は、アンテナ４０４から出力されたＵＬ信号に対するＲＦ処理を行う。たとえば、ＲＦ処理部４０３は、アンテナ４０４から出力されたＵＬ信号に対して、増幅、ＲＦ周波数からベースバンド周波数への変換、アナログ信号からデジタル信号への変換などの受信ＲＦ処理を行う。そして、ＲＦ処理部４０３は、受信ＲＦ処理により得られたＵＬベースバンド信号をベースバンド送受信処理部４０２へ出力する。
【００５０】
アンテナ４０４は、ＲＦ処理部４０３から出力されたＤＬ信号を基地局装置１１０へ無線送信する。また、アンテナ４０４は、基地局装置１１０から無線送信されたＵＬ信号を受信し、受信したＵＬ信号をＲＦ処理部４０３へ出力する。
【００５１】
（実施の形態にかかる端末装置のハードウェア構成）
図５は、実施の形態にかかる端末装置のハードウェア構成の一例を示す図である。端末装置１２１のハードウェア構成について説明するが、端末装置１２２，…のハードウェア構成についても同様である。図３に示すように、実施の形態にかかる端末装置１２１は、アンテナ５０１と、ＲＦ回路５０２と、インタフェース回路５０３と、ＣＰＵ５０４と、メモリ５０５と、を備える。
【００５２】
アンテナ５０１は、基地局装置１１０との間で無線信号の送受信を行う。ＲＦ回路５０２は、図４に示したＲＦ処理部４０３による送信ＲＦ処理や受信ＲＦ処理を行う変換器や増幅器等の回路を含む。インタフェース回路５０３は、ＲＦ回路５０２およびＣＰＵ５０４を接続するインタフェースを実現する回路である。ＣＰＵ５０４は、メモリ５０５を用いて演算を行う。メモリ５０５には、たとえばメインメモリおよび補助メモリが含まれる。メインメモリは、たとえばＲＡＭである。メインメモリは、ＣＰＵ５０４のワークエリアとして使用される。補助メモリは、たとえば磁気ディスク、フラッシュメモリなどの不揮発メモリである。補助メモリには、端末装置１２１を動作させる各種のプログラムが記憶されている。補助メモリに記憶されたプログラムは、メインメモリにロードされてＣＰＵ５０４によって実行される。
【００５３】
図４に示したアンテナ４０４は、たとえばアンテナ５０１により実現することができる。図４に示したＲＦ処理部４０３は、たとえばＲＦ回路５０２により実現することができる。図４に示したベースバンド送受信処理部４０２およびアプリケーション部４０１は、たとえばＣＰＵ５０４およびメモリ５０５により実現することができる。
【００５４】
（実施の形態にかかる無線通信システム）
図６は、実施の形態にかかる無線通信システムの一例を示す図である。図１に示した通信システム１００は、たとえば図６に示す無線通信システム６００に適用することができる。無線通信システム６００は、ｅＮＢ６１０と、フェムト基地局６１４と、ＵＥ６３１〜６３５と、ＵＥ群６４１〜６４３と、を含む。
【００５５】
図１に示した基地局装置１１０は、一例としてはｅＮＢ６１０やフェムト基地局６１４に適用することができる。また、図１に示した端末装置１２１，１２２，…は、一例としてはＵＥ６３１〜６３５またはＵＥ群６４１〜６４３のうちのＵＥに適用することができる。
【００５６】
ｅＮＢ６１０は、アンテナ６１１およびＲＲＨ６１２，６１３，６１５，６１６を備える基地局装置（ｅｖｏｌｖｅｄ  Ｎｏｄｅ  Ｂ）である。たとえば、ｅＮＢ６１０は、アンテナ６１１によって周波数ｆ１のセル６０１を形成する。また、ｅＮＢ６１０は、ＲＲＨ６１２により周波数ｆ２のセル６０２を形成する。また、ｅＮＢ６１０は、ＲＲＨ６１３により周波数ｆ２のセル６０３を形成する。また、ｅＮＢ６１０は、ＲＲＨ６１５により周波数ｆ２のセル６０５を形成する。また、ｅＮＢ６１０は、ＲＲＨ６１６により周波数ｆ２のセル６０６を形成する。フェムト基地局６１４は、周波数ｆ３のセル６０４を形成する基地局装置である。
【００５７】
セル６０１は、セル範囲が広いマクロセルである。セル６０２，６０３，６０５，６０６は、マクロセルよりセル範囲が狭いスモールセルである。セル６０４は、マクロセルよりセル範囲が狭いフェムトセルである。図６に示す例では、セル６０２〜６０６の各セル範囲は、セル６０１のセル範囲に含まれている。
【００５８】
ＵＥ６３１〜６３５は、たとえばセル６０１〜６０６によって無線通信を行うことができる端末装置（ＵＥ：Ｕｓｅｒ  Ｅｑｕｉｐｍｅｎｔ：ユーザ端末）である。図６に示す例では、ＵＥ６３１は、セル６０１のみに在圏し、ダウンリンクおよびアップリンクの無線通信をセル６０１により行っている。また、ＵＥ６３２は、セル６０１，６０２に在圏し、ダウンリンクの無線通信をセル６０１，６０２の両方を用いたキャリアアグリゲーションにより行い、アップリンクの無線通信をセル６０２により行っている。
【００５９】
また、ＵＥ６３３は、セル６０１，６０３に在圏し、ダウンリンクおよびアップリンクの無線通信をセル６０３により行っている。また、ＵＥ６３４は、セル６０１，６０４に在圏し、ダウンリンクおよびアップリンクの無線通信をセル６０４により行っている。また、ＵＥ６３５は、セル６０１，６０５に在圏し、ダウンリンクの無線通信をセル６０１，６０５の両方を用いたキャリアアグリゲーションにより行い、アップリンクの無線通信をセル６０５により行っている。また、図６に示す例では、ＵＥ６３１〜６３５の他にも、たとえばセル６０２に在圏するＵＥ群６４１、セル６０３に在圏するＵＥ群６４２、セル６０５に在圏するＵＥ群６４３などがある。
【００６０】
たとえばＵＥ６３１〜６３５は、アップリンクの無線通信において、ＰＵＣＣＨによってＣＱＩをｅＮＢ６１０またはフェムト基地局６１４へ送信する。ｅＮＢ６１０およびフェムト基地局６１４は、受信したＣＱＩに基づいて、ＵＥ６３１〜６３５から受信するＰＵＳＣＨに対するＡＦＣを行う。
【００６１】
（実施の形態にかかる無線通信システムにおけるＵＥの移動）
図７は、実施の形態にかかる無線通信システムにおけるＵＥの移動の一例を示す図である。図７において、図６に示した部分と同様の部分については同一の符号を付して説明を省略する。たとえば図６に示した無線通信システム６００のように、周波数が互いに同じまたは近い各セルが密集して形成され、また、多くのＵＥが存在するような場合は、移動中のＵＥは、環境が異なる各セルに対する出入りを繰り返すことになる。各セルに対する出入りには、セル間のハンドオーバを繰り返すことや、単に各セルのエリアを通過することが含まれる。
【００６２】
図７に示す例では、ＵＥ６３１が、セル６０１のみに在圏する位置から、セル６０１，６０２に在圏する位置に移動し、つぎにセル６０１，６０３に在圏する位置に移動し、つぎにセル６０１のみに在圏する位置に移動している。
【００６３】
（実施の形態にかかる無線通信システムにおけるアップリンクの帯域）
図８は、実施の形態にかかる無線通信システムにおけるアップリンクの帯域の一例を示す図である。図８に示す帯域８００は、無線通信システム６００のアップリンクにおける帯域を示す。帯域８００の横方向は周波数を示す。ＰＵＣＣＨ８０１，８０２は、帯域８００に割り当てられるＰＵＣＣＨを示す。ＰＵＳＣＨ８０３は、帯域８００に割り当てられるＰＵＳＣＨ（Ｐｈｙｓｉｃａｌ  Ｕｐｌｉｎｋ  Ｓｈａｒｅｄ  Ｃｈａｎｎｅｌ：物理上りリンク共有チャネル）を示す。図８に示すように、帯域８００のうちＰＵＣＣＨ８０１，８０２が割り当てられる帯域は限られている。
【００６４】
そして、図６に示した無線通信システム６００のように、周波数が互いに同じまたは近い各セルが密集して形成され、また、多くのＵＥが存在するような場合は、限られたＰＵＣＣＨ８０１，８０２のリソースに多くのＵＥが多重（たとえば符号分割多重）される。多くのＵＥが多重されると、ＵＥにおいて、自局宛のＰＵＣＣＨを精度よく抽出することが困難になるため、ＰＵＣＣＨの受信品質が劣化しやすくなり、ＰＵＣＣＨに含まれるＣＱＩに基づくＡＦＣの精度も低下する。
【００６５】
（実施の形態にかかる無線通信システムにおけるＰＵＣＣＨの干渉）
図９は、実施の形態にかかる無線通信システムにおけるＰＵＣＣＨの干渉の一例を示す図である。図９において、ＵＬ信号９０１はＵＥ６３１のＰＵＣＣＨの信号であり、ＵＬ信号９０２はＵＥ６３２のＰＵＣＣＨの信号である。たとえば図７に示した例のように、ＵＥ６３１がセル６０２へ進入すると、ＵＥ６３１は、セル６０２における定常状態となるまでは、それまでのセル６０１における送信電力を維持している。
【００６６】
このため、図９に示すように、セル６０１におけるＵＬ信号９０１の送信電力がＵＬ信号９０２の送信電力より高いと、ＵＥ６３２のＵＬ信号９０２（希望波）に対してＵＥ６３１のＵＬ信号９０１が妨害波となり得る。逆に、図示しないが、セル６０１におけるＵＬ信号９０１の送信電力がＵＬ信号９０２の送信電力より低いと、ＵＥ６３１のＵＬ信号９０１（希望波）に対してＵＥ６３２のＵＬ信号９０２が妨害波となり得る。
【００６７】
このように、ＰＵＣＣＨのリソースは各帯域の数ＲＢしかなく、そこに複数のＵＥが多重されるとＰＵＣＣＨが劣化しやすくなる。このような過密環境において、ＵＥのセルの出入りが激しいと、あるＵＥの希望波が他ＵＥの妨害波になってＡＦＣの精度が低下する場合がある。
【００６８】
（ＣＱＩの多重によるＡＦＣの精度の低下）
ここで、多くのＣＱＩの多重によるＡＦＣの精度の低下について説明する。たとえば、ｅＮＢ６１０は、ＣＱＩを含むＰＵＣＣＨを用いてＡＦＣを行うが、このＰＵＣＣＨにはターボ符号化が用いられていない。また、ＰＵＣＣＨにおいては、直交系列やサイクリックシフトを用いて、多重する複数のＵＥ分の情報が１ＲＢの中に格納される。たとえば、ｆｏｒｍａｔ１ｘにおいては３２ＵＥ多重分の情報がサイクリックシフトを用いて１ＲＢの中に格納される。また、ｆｏｒｍａｔ２ｘにおいては１２ＵＥ多重分の情報が１ＲＢの中に格納される。また、ｆｏｒｍａｔ３においては直交系列を用いて５ＵＥ多重分の情報が１ＲＢの中に格納される。
【００６９】
その状態のＰＵＣＣＨの情報をｅＮＢ６１０が処理し、そこから各ＵＥが自局の信号を取得することになる。このため、多重されている複数ＵＥのうち一部のＵＥの信号波が強いと、そのＵＥに隣接して多重されている他ＵＥのＰＵＣＣＨ情報に干渉として影響を及ぼす。したがって、その他ＵＥに対するＡＦＣは、その干渉を受けたＰＵＣＣＨ情報を元に行うのでＡＦＣの精度が低下する。そして、多重数が多ければ多いほど、ＲＢに対して各ＵＥが密接して多重化されてハミング距離が近くなる可能性が高くなるため、ＡＦＣの精度が劣化しやすくなる。
【００７０】
（実施の形態にかかる無線通信システムによる処理のタイミング）
図１０は、実施の形態にかかる無線通信システムによる処理のタイミングの一例を示す図である。図１０においては、一例として、ｅＮＢ６１０がＵＥ６３２からのＣＱＩ送信電力を調整する場合について説明する。図１０に示す無線リソース１０００は、無線通信システム６００における無線リソースであり、無線リソース１０００の横方向は時間を示す。
【００７１】
フレーム１０１０は、無線リソース１０００における１フレームの単位を示す。１サブフレームは１０［ｍｓ］である。サブフレーム１０２０は、無線リソース１０００における１サブフレームの単位を示す。１サブフレームは１［ｍｓ］である。スロット１０３０は、無線リソース１０００における１スロットの単位を示す。１スロットは０．５［ｍｓ］である。リソースブロック１０５０は、無線リソース１０００における周波数リソース（Ｓｙｓｔｅｍ  ＢＷ  ＲＢ）である。
【００７２】
図１０に示す例では、ｅＮＢ６１０が、ＵＥ６３２によるＣＱＩの周期的な送信タイミングとして、フレーム１０１０のそれぞれにおける３シンボル目のＣＱＩ送信タイミング１０６１，１０６２，…を設定したとする。
【００７３】
まず、ＵＥ６３２が、ＣＱＩ送信タイミング１０６１において、ｅＮＢ６１０へ、ＣＱＩを含むＰＵＣＣＨと、ＵＥ６３２からｅＮＢ６１０へのアップリンクのユーザデータを含むＰＵＳＣＨと、を送信する（ステップＳ１００１）。たとえば、ＵＥ６３２は、ｅＮＢ６１０からＵＥ６３２への無線信号に基づくダウンリンクの受信品質を測定し、測定した受信品質の指示子であるＣＱＩを生成し、生成したＣＱＩを含むＰＵＣＣＨをステップＳ１００１において送信する。
【００７４】
これに対して、ｅＮＢ６１０は、ステップＳ１００１によって受信したＰＵＣＣＨに含まれるＣＱＩに基づくＡＦＣを行う。すなわち、ｅＮＢ６１０は、受信したＰＵＣＣＨに含まれるＣＱＩにおける周波数偏差を推定し、推定した周波数偏差に基づいて、ステップＳ１００１によって受信したＰＵＳＣＨにおける周波数偏差を補償する。
【００７５】
また、ｅＮＢ６１０は、ＡＦＣによって周波数偏差を補償したＰＵＳＣＨの復号結果に基づく受信品質をスループットとして計算する。受信品質には、たとえばＢＥＲ（Ｂｉｔ  Ｅｒｒｏｒ  Ｒａｔｅ：ビット誤り率）やＢＬＥＲ（ＢＬｏｃｋ  Ｅｒｒｏｒ  Ｒａｔｉｏ：ブロック誤り率）などを用いることができる。そして、ｅＮＢ６１０は、計算したスループットに基づいて、ＵＥ６３２からのＣＱＩ送信電力の増加、減少または維持を決定し、決定結果に基づくＴＰＣ値を生成する。
【００７６】
つぎに、ｅＮＢ６１０が、生成したＴＰＣ値を含むＰＤＣＣＨ（Ｐｈｙｓｉｃａｌ  Ｄｏｗｎｌｉｎｋ  Ｃｏｎｔｒｏｌ  Ｃｈａｎｎｅｌ：物理下りリンク制御チャネル）をＵＥ６３２へ送信する（ステップＳ１００２）。たとえば、ｅＮＢ６１０は、ＵＥ６３２へのＰＤＣＣＨを割り当てたタイミング１０７１においてステップＳ１００２を行う。
【００７７】
つぎに、ＵＥ６３２が、ＵＥ６３２からｅＮＢ６１０へのアップリンクのユーザデータを含むＰＵＳＣＨをｅＮＢ６１０へ送信する（ステップＳ１００３）。ここで、ステップＳ１００３のタイミング１０７２は、ｅＮＢ６１０によって設定されたＵＥ６３２によるＣＱＩの周期的な送信タイミングではない。したがって、ＵＥ６３２は、ステップＳ１００３において、ＣＱＩを含むＰＵＣＣＨは送信しない。
【００７８】
これに対して、ｅＮＢ６１０は、ステップＳ１００３によって受信したＰＵＳＣＨにおける周波数偏差をＡＦＣにより補償する。このとき、ｅＮＢ６１０は、ステップＳ１００１によって受信したＰＵＣＣＨに含まれるＣＱＩに基づいて推定した周波数偏差を、ステップＳ１００３によって受信したＰＵＳＣＨに対するＡＦＣに用いる。このように、ＵＥ６３２は、ｅＮＢ６１０による設定に従ってＣＱＩを間欠的にｅＮＢ６１０へ送信する。これに対して、ｅＮＢ６１０は、受信したＣＱＩから計算したＡＦＣの値（周波数偏差の推定値）を、つぎのＣＱＩを受信するまでＡＦＣに使い続ける。
【００７９】
つぎに、ｅＮＢ６１０によって設定されたＵＥ６３２によるＣＱＩの送信タイミングのうちステップＳ１００１の送信タイミングのつぎの送信タイミング、すなわちＣＱＩ送信タイミング１０６２になったとする。この場合は、ＵＥ６３２が、ＣＱＩを含むＰＵＣＣＨと、ＵＥ６３２からｅＮＢ６１０へのアップリンクのユーザデータを含むＰＵＳＣＨと、をｅＮＢ６１０へ送信する（ステップＳ１００４）。また、ＵＥ６３２は、ステップＳ１００４によって送信するＰＵＣＣＨに含めるＣＱＩ送信電力を、ステップＳ１００２によって受信したＰＤＣＣＨに含まれるＴＰＣ値に基づいて調整する。
【００８０】
これに対して、ｅＮＢ６１０は、ステップＳ１００４によって受信したＰＵＣＣＨに含まれるＣＱＩに基づくＡＦＣを行う。すなわち、ｅＮＢ６１０は、受信したＰＵＣＣＨに含まれるＣＱＩにおける周波数偏差を推定し、推定した周波数偏差に基づいて、ステップＳ１００４によって受信したＰＵＳＣＨにおける周波数偏差を補償する。
【００８１】
また、ｅＮＢ６１０は、ＡＦＣによって周波数偏差を補償したＰＵＳＣＨの復号結果に基づく受信品質をスループットとして計算する。そして、ｅＮＢ６１０は、計算したスループットに基づいて、ＵＥ６３２からのＣＱＩ送信電力の調整によるスループットの変化を検出する。
【００８２】
そして、ｅＮＢ６１０は、ＣＱＩ送信電力の調整によってスループットが悪化した場合や、ＣＱＩ送信電力を上げたにも関わらずスループットに変化がなかった場合は、ＵＥ６３２からのＣＱＩ送信電力を調整前の送信電力に戻す。ＵＥ６３２からのＣＱＩ送信電力を調整前の送信電力に戻す場合も、ｅＮＢ６１０は、ステップＳ１００１と同様に、ＵＥ６３２へ送信するＰＤＣＣＨに含めるＴＰＣ値を用いることができる。
【００８３】
また、ｅＮＢ６１０は、ＣＱＩ送信電力の調整によってスループットが改善した場合や、ＣＱＩ送信電力を下げたにも関わらずスループットが悪化しなかった場合は、ＵＥ６３２からのＣＱＩ送信電力を調整前の送信電力に戻さない。そして、ｅＮＢ６１０は、ステップＳ１００２と同様に、計算したスループットに基づくＴＰＣ値を生成し、生成したＴＰＣを含むＰＤＣＣＨをＵＥ６３２へ送信する。
【００８４】
このように、ｅＮＢ６１０は、ＵＥ６３２によるＣＱＩ送信電力を調整した場合は、ＵＥ６３２からのＣＱＩ送信電力の調整によるスループットの変化を検出することにより、ＣＱＩ送信電力の調整の効果を確認する。そして、ｅＮＢ６１０は、ＣＱＩ送信電力の調整によってスループットが悪化したり、ＣＱＩ送信電力を上げたにも関わらずスループットに変化がなかったりした場合は、ＵＥ６３２からのＣＱＩ送信電力を調整前の送信電力に戻す。これにより、たとえばＣＱＩの受信品質の劣化とは異なる要因によってスループットが低下していた場合に、ＣＱＩ送信電力を調整前の送信電力に戻すことができる。
【００８５】
（ＰＵＣＣＨにおけるＣＱＩ送信電力の調整）
つぎに、ＰＵＣＣＨにおけるＣＱＩ送信電力の調整について説明する。ＰＵＣＣＨの送信においては、ＰＵＣＣＨによって送信する情報に応じて異なるフォーマット（ｐｕｃｃｈ  ｆｏｒｍａｔ１、ｐｕｃｃｈ  ｆｏｒｍａｔ  １ａ、…等）が用いられる。ＰＵＣＣＨのフォーマットは、たとえば３ＧＰＰ（３ｒｄ  Ｇｅｎｅｒａｔｉｏｎ  Ｐａｒｔｎｅｒｓｈｉｐ  Ｐｒｏｊｅｃｔ）のＴＳ３６．２１３に規定されている。
【００８６】
ＵＥは、ＣＱＩを送信するフォーマットのＰＵＣＣＨのみの送信電力を調整することで、ＰＵＣＣＨのうちＣＱＩのみの送信電力を調整することが可能である。また、たとえばＰＵＣＣＨのフォーマットであるｆｏｒｍａｔ  ２ｘによってＣＱＩを送信する場合は、ＵＥは、ＣＱＩのビット数を調整することによってＰＵＣＣＨのうちＣＱＩのみの送信電力を調整することも可能である。
【００８７】
ただし、ＣＱＩ送信電力の調整は、ＰＵＣＣＨのうちＣＱＩのみの送信電力の調整に限らず、ＰＵＣＣＨにおけるＣＱＩとは異なるデータも含む送信電力（たとえばＰＵＣＣＨ全体の送信電力）の調整であってもよい。
【００８８】
（実施の形態にかかるｅＮＢによる電力調整処理）
図１１は、実施の形態にかかるｅＮＢによる電力調整処理の一例を示すフローチャートである。実施の形態にかかるｅＮＢ６１０は、ＰＵＣＣＨを受信するごとに（ＰＵＣＣＨ受信時）、受信したＰＵＣＣＨによってＣＱＩを送信した各ＵＥを対象ＵＥとして、図１１に示す処理を実行する。また、ｅＮＢ６１０は、自局が形成するセルごとに図１１に示す処理を実行する。
【００８９】
まず、ｅＮＢ６１０は、対象ＵＥのスループットを計算する（ステップＳ１１０１）。ステップＳ１１０１において、たとえば、ｅＮＢ６１０は、受信したＰＵＣＣＨによって対象ＵＥが送信したＣＱＩに基づいて、それまでに対象ＵＥから受信したＰＵＳＣＨの周波数偏差を補償するＡＦＣを行う。そして、ｅＮＢ６１０は、周波数偏差を補償したＰＵＳＣＨの復号結果に基づく受信品質をスループットとして計算する。
【００９０】
つぎに、ｅＮＢ６１０は、ステップＳ１１０１によって計算したスループットが所定の閾値より低いか否かを判断する（ステップＳ１１０２）。これにより、対象ＵＥからのＰＵＣＣＨに含まれるＣＱＩの受信品質が劣化しているか否かを間接的に判断することができる。スループットが閾値より低い場合（ステップＳ１１０２：Ｙｅｓ）は、ｅＮＢ６１０は、対象ＵＥのスループット確認試行回数が所定の閾値より大きいか否かを判断する（ステップＳ１１０３）。対象ＵＥのスループット確認試行回数は、対象ＵＥのスループットの確認の試行回数であり、初期値は０である。
【００９１】
ステップＳ１１０３において、スループット確認試行回数が閾値より大きくない場合（ステップＳ１１０３：Ｎｏ）は、ｅＮＢ６１０は、対象ＵＥのスループット確認試行回数をカウントアップ（＋１）する（ステップＳ１１０４）。
【００９２】
つぎに、ｅＮＢ６１０は、対象ＵＥのＣＱＩ送信電力調整実施フラグ（ｕｐ）がＯＮか否かを判断する（ステップＳ１１０５）。ＣＱＩ送信電力調整実施フラグ（ｕｐ）は、対象ＵＥについてＣＱＩ送信電力の調整を実施中か否かを示す情報であり、初期状態においてはＯＦＦに設定されている。ＣＱＩ送信電力調整実施フラグ（ｕｐ）がＯＮでない場合（ステップＳ１１０５：Ｎｏ）は、ｅＮＢ６１０は、対象ＵＥについての一連の処理を終了する。
【００９３】
ステップＳ１１０３において、スループット確認試行回数が閾値より大きい場合（ステップＳ１１０３：Ｙｅｓ）は、ｅＮＢ６１０は、対象ＵＥのスループット確認試行回数を初期化する（ステップＳ１１０６）。すなわち、ｅＮＢ６１０は、対象ＵＥのスループット確認試行回数を０にする。
【００９４】
つぎに、ｅＮＢ６１０は、ステップＳ１１０１によって計算した対象ＵＥのスループットと、対象ＵＥの現在のＣＱＩ送信電力（調整前のＣＱＩ送信電力）と、をメモリに保持する（ステップＳ１１０７）。対象ＵＥのスループットおよびＣＱＩ送信電力を保持するメモリには、たとえば図３に示したメモリ３２２を用いることができる。
【００９５】
つぎに、ｅＮＢ６１０は、対象ＵＥのＣＱＩ送信電力を上げる調整を行う（ステップＳ１１０８）。ステップＳ１１０８による対象ＵＥのＣＱＩ送信電力を上げる調整の処理については後述する（たとえば図１２参照）。つぎに、ｅＮＢ６１０は、対象ＵＥのＣＱＩ送信電力調整実施フラグ（ｕｐ）をＯＮにし（ステップＳ１１０９）、対象ＵＥについての一連の処理を終了する。
【００９６】
ステップＳ１１０５において、ＣＱＩ送信電力調整実施フラグ（ｕｐ）がＯＮである場合（ステップＳ１１０５：Ｙｅｓ）は、ｅＮＢ６１０は、対象ＵＥのＣＱＩ送信電力を上げる調整を行い（ステップＳ１１１０）、対象ＵＥについての一連の処理を終了する。ステップＳ１１１０による対象ＵＥのＣＱＩ送信電力を上げる調整は、ステップＳ１１０８と同様であり後述する（たとえば図１２参照）。
【００９７】
ステップＳ１１０２において、スループットが閾値より低くない場合（ステップＳ１１０２：Ｎｏ）は、ｅＮＢ６１０は、対象ＵＥのＣＱＩ送信電力を下げる調整を行う（ステップＳ１１１１）。ステップＳ１１１１による対象ＵＥのＣＱＩ送信電力を下げる調整の処理については後述する（たとえば図１５参照）。つぎに、ｅＮＢ６１０は、対象ＵＥのＣＱＩ送信電力調整実施フラグ（ｄｏｗｎ）をＯＮにし（ステップＳ１１１２）、対象ＵＥについての一連の処理を終了する。
【００９８】
ステップＳ１１０３において用いるスループット確認試行回数は、たとえば、受信したＰＵＣＣＨによってＣＱＩを送信したＵＥの数（ＰＵＣＣＨの多重数）に応じて設定されてもよい。たとえば、スループット確認試行回数は、ＰＵＣＣＨの多重数が大きいほど小さく設定される。これは、ＰＵＣＣＨの多重数が大きいほど、ＰＵＳＣＨのスループットの低下が、ＡＦＣの精度の低下の要因となる可能性が高まるためである。
【００９９】
すなわち、ＰＵＣＣＨの多重数が多い場合には、スループットが低下するとＣＱＩ送信電力を早い段階で上げる調整を行うようにし、スループットを早期に改善することができる。また、ＰＵＣＣＨの多重数が少ない場合には、スループットが低下してもＣＱＩ送信電力を上げる調整を遅らせるようにし、制御を安定させることができる。このため、ＰＵＣＣＨの多重数が大きいほどスループット確認試行回数を小さく設定することで、スループットを効率よく向上させることができる。
【０１００】
（実施の形態にかかるｅＮＢによる対象ＵＥのＣＱＩ送信電力を上げる調整の処理）
図１２は、実施の形態にかかるｅＮＢによる対象ＵＥのＣＱＩ送信電力を上げる調整の処理の一例を示すフローチャートである。図１１に示したステップＳ１１０８，Ｓ１１１０において、ｅＮＢ６１０は、対象ＵＥのＣＱＩ送信電力を上げる調整の処理として、たとえば図１２に示す処理を実行する。
【０１０１】
まず、ｅＮＢ６１０は、対象ＵＥとＣＱＩ送信タイミングが同じＵＥを、自セルに接続しているＵＥの中からサーチする（ステップＳ１２０１）。つぎに、ｅＮＢ６１０は、ステップＳ１２０１のサーチ結果に基づいて、対象ＵＥとＣＱＩ送信タイミングが同じＵＥが存在するか否かを判断する（ステップＳ１２０２）。
【０１０２】
ステップＳ１２０２において、対象ＵＥとＣＱＩ送信タイミングが同じＵＥが存在すると判断した場合（ステップＳ１２０２：Ｙｅｓ）は、ｅＮＢ６１０は、ステップＳ１２０３へ移行する。すなわち、ｅＮＢ６１０は、対象ＵＥのＣＱＩ送信電力が、対象ＵＥのＣＱＩ送信タイミングにおいてＣＱＩを送信する各ＵＥの中で最大か否かを判断する（ステップＳ１２０３）。対象ＵＥのＣＱＩ送信電力が最大である場合（ステップＳ１２０３：Ｙｅｓ）は、対象ＵＥのＣＱＩ送信電力をさらに上げても対象ＵＥのスループットは向上しない可能性が高いと判断することができる。この場合は、ｅＮＢ６１０は、一連の調整の処理を終了する。
【０１０３】
ステップＳ１２０３において、対象ＵＥのＣＱＩ送信電力が最大でない場合（ステップＳ１２０３：Ｎｏ）は、ｅＮＢ６１０は、ステップＳ１２０４へ移行する。すなわち、ｅＮＢ６１０は、対象ＵＥのＣＱＩ送信タイミングにおいてＣＱＩを送信する各ＵＥの中で、ＣＱＩ送信電力が最大のＵＥをサーチする（ステップＳ１２０４）。たとえば、ｅＮＢ６１０は、ＵＥごとのＣＱＩ送信電力を記憶しており（たとえば図１８参照）、このＵＥごとのＣＱＩ送信電力に基づいてステップＳ１２０４のサーチを行うことができる。
【０１０４】
つぎに、ｅＮＢ６１０は、ステップＳ１２０４のサーチにより特定した、送信電力が最大のＵＥのＣＱＩ送信電力を、対象ＵＥのターゲット電力に設定する（ステップＳ１２０５）。すなわち、対象ＵＥのＣＱＩ送信タイミングにおいては、サーチにより特定したＵＥが最大の干渉源になっていると考えられるため、対象ＵＥのＣＱＩ送信電力をその最大の干渉源に合わせることで、対象ＵＥに対する干渉をキャンセルすることができる。
【０１０５】
つぎに、ｅＮＢ６１０は、ステップＳ１２０５によって設定したターゲット電力に基づく電力調整（ｕｐ）を実施し（ステップＳ１２０６）、一連の調整の処理を終了する。ステップＳ１２０６におけるターゲット電力に基づく電力調整（ｕｐ）の処理については後述する（たとえば図１３，図１４参照）。
【０１０６】
ステップＳ１２０２において、ＣＱＩ送信タイミングが同じＵＥが存在しないと判断した場合（ステップＳ１２０２：Ｎｏ）は、対象ＵＥのＣＱＩ送信タイミングにおいては対象ＵＥのみがＣＱＩを送信する状況である。すなわち、複数のＵＥがＣＱＩを送信することによるＣＱＩの劣化はないと判断することができる。この場合は、ｅＮＢ６１０は、対象ＵＥのＣＱＩ送信電力を上げる調整を行わずに、一連の調整の処理を終了する。
【０１０７】
このように、ｅＮＢ６１０は、ＡＦＣを行った対象ＵＥからのＰＵＳＣＨ（データ信号）のスループット（受信品質）が閾値（所定の受信品質）より低い場合に、対象ＵＥとＣＱＩ送信タイミングが同じ他ＵＥの中でＣＱＩ送信電力が最大のＵＥを特定する。そして、ｅＮＢ６１０は、特定したＵＥのＣＱＩ送信電力に基づいて対象ＵＥのＣＱＩ送信電力を増加させる調整を行う。これにより、対象ＵＥのＣＱＩ送信タイミングにおける最大の干渉源である可能性が高いＵＥのＣＱＩ送信電力と合わせるように対象ＵＥのＣＱＩ送信電力を調整し、対象ＵＥからのＣＱＩに対する干渉を低減することができる。
【０１０８】
また、ｅＮＢ６１０は、対象ＵＥとＣＱＩ送信タイミングが同じＵＥであって対象ＵＥよりＣＱＩ送信電力が大きいＵＥがない場合は、対象ＵＥの送信電力を増加させる調整を行わない。これにより、対象ＵＥの送信電力を増加させる調整を行っても対象ＵＥのスループットが改善する可能性が低いに関わらず、対象ＵＥのＣＱＩ送信電力を増加させて他ＵＥのＣＱＩへの干渉が強くなることを防止することができる。
【０１０９】
（実施の形態にかかるｅＮＢによるターゲット電力に基づく電力調整（ｕｐ）の処理）
図１３は、実施の形態にかかるｅＮＢによるターゲット電力に基づく電力調整（ｕｐ）の処理の一例を示すフローチャートである。図１２に示したステップＳ１２０６において、ｅＮＢ６１０は、ターゲット電力に基づく電力調整（ｕｐ）の処理として、たとえば図１３に示す処理を実行する。まず、ｅＮＢ６１０は、対象ＵＥのデータ種別がＶｏＬＴＥ（Ｖｏｉｃｅ  ｏｖｅｒ  ＬＴＥ）か否かを判断する（ステップＳ１３０１）。
【０１１０】
ステップＳ１３０１において、データ種別がＶｏＬＴＥである場合（ステップＳ１３０１：Ｙｅｓ）は、対象ＵＥにおけるＡＦＣの精度の向上を優先すべき状態であると判断することができる。この場合は、ｅＮＢ６１０は、対象ＵＥのＣＱＩ送信電力を、ステップＳ１２０５によって設定したターゲット電力となるように調整し（ステップＳ１３０２）、一連の電力調整の処理を終了する。これにより、対象ＵＥのＣＱＩ送信電力を短時間で上げて、対象ＵＥにおけるＡＦＣの精度を向上させることができる。
【０１１１】
ステップＳ１３０１において、データ種別がＶｏＬＴＥでない場合（ステップＳ１３０１：Ｎｏ）は、ｅＮＢ６１０は、対象ＵＥが高速移動中であるか否かを判断する（ステップＳ１３０３）。ステップＳ１３０３の判断は、一例としては、ｅＮＢ６１０によって推定した対象ＵＥについてのフェージング変動に基づいて行うことができる。ただし、ステップＳ１３０３の判断は、このような方法に限らず、たとえば、対象ＵＥの移動状態の検出結果をｅＮＢ６１０が対象ＵＥから受信することによって行ってもよい。
【０１１２】
ステップＳ１３０３において、ＵＥが高速移動中である場合（ステップＳ１３０３：Ｙｅｓ）は、ｅＮＢ６１０は、対象ＵＥは短時間でｅＮＢ６１０のセルの圏外になる可能性が高いと考えられる。このため、ｅＮＢ６１０は、対象ＵＥのＣＱＩ送信電力を上げる調整を行わずに、一連の電力調整の処理を終了する。
【０１１３】
ステップＳ１３０３において、ＵＥが高速移動中でない場合（ステップＳ１３０３：Ｎｏ）は、ｅＮＢ６１０は、ステップＳ１３０４へ移行する。すなわち、ｅＮＢ６１０は、対象ＵＥのＣＱＩ送信電力を、図１２に示したステップＳ１２０５によって設定したターゲット電力を上限として所定単位だけ増加させ（ステップＳ１３０４）、一連の電力調整の処理を終了する。このように、ｅＮＢ６１０は、対象ＵＥのＣＱＩ送信電力を段階的に増加させるランピングを行う。これにより、対象ＵＥのＣＱＩ送信電力の調整の速さを遅くし、対象ＵＥのＣＱＩ送信電力が他のＵＥより大きくなり過ぎることを回避することができる。
【０１１４】
このように、ｅＮＢ６１０は、たとえば、対象ＵＥの状況（データ種別や移動状態）に応じて、電力調整方法を設定する。なお、ステップＳ１３０２，Ｓ１３０４による送信電力の調整は、たとえば、対象ＵＥへ送信するＴＰＣ値などのＵＬ（Ｕｐ  Ｌｉｎｋ）制御情報を用いて行うことができる。
【０１１５】
すなわち、ｅＮＢ６１０は、対象ＵＥのＣＱＩ送信電力の調整において、対象ＵＥからｅＮＢ６１０へのデータ信号の種別に基づいて、対象ＵＥのＣＱＩ送信電力の調整の速さを設定する。これにより、優先度が高い種別のデータ信号のＡＦＣに用いられるＣＱＩについては送信電力を高くし、優先度が高い種別のデータ信号のスループットを優先的に向上させることができる。また、優先度が低い種別のデータ信号のＡＦＣに用いられるＣＱＩについては送信電力を低くし、他ＵＥのＣＱＩへの干渉を抑制することができる。
【０１１６】
また、ｅＮＢ６１０は、対象ＵＥが一定の速度以上で移動中（高速移動中）である場合は、対象ＵＥについてのスループットが閾値（所定の受信品質）より低い場合であっても、対象ＵＥのＣＱＩ送信電力を増加させる調整を行わない。これにより、短時間でセルの圏外になる可能性が高い対象ＵＥについてＣＱＩ送信電力を調整することを防止し、各ＵＥのＣＱＩ送信電力の制御を安定させることができる。
【０１１７】
図１４は、実施の形態にかかるｅＮＢによるターゲット電力に基づく電力調整（ｕｐ）の処理の他の一例を示すフローチャートである。図１２に示したステップＳ１２０６において、ｅＮＢ６１０は、ターゲット電力に基づく電力調整（ｕｐ）の処理として、たとえば図１４に示す処理を実行してもよい。まず、ｅＮＢ６１０は、対象ＵＥのデータ種別の優先度が、対象ＵＥとＣＱＩ送信タイミングが同じいずれのＵＥよりも高いか否かを判断する（ステップＳ１４０１）。対象ＵＥとＣＱＩ送信タイミングが同じＵＥは、たとえば図１２に示したステップＳ１２０１のサーチによって特定されたＵＥである。
【０１１８】
ステップＳ１４０１において、対象ＵＥのデータ種別の優先度がいずれのＵＥよりも高い場合（ステップＳ１４０１：Ｙｅｓ）は、ｅＮＢ６１０は、ステップＳ１４０２へ移行する。すなわち、ｅＮＢ６１０は、対象ＵＥのＣＱＩ送信電力を、図１２に示したステップＳ１２０５によって設定したターゲット電力を上限として所定単位（大）だけ増加させ（ステップＳ１４０２）、一連の電力調整の処理を終了する。ステップＳ１４０２において送信電力を増加させる所定単位は、たとえばステップＳ１４０４と比べて大きい単位とする。これにより、対象ＵＥのＣＱＩ送信電力の調整の速さが比較的速くなる。
【０１１９】
ステップＳ１４０１において、対象ＵＥのデータ種別の優先度がいずれかのＵＥに対して低いまたは同じ場合（ステップＳ１４０１：Ｎｏ）は、ｅＮＢ６１０は、ステップＳ１４０３へ移行する。すなわち、ｅＮＢ６１０は、対象ＵＥとＣＱＩ送信タイミングが同じＵＥの中で、対象ＵＥよりデータ種別の優先度が高いＵＥが存在するか否かを判断する（ステップＳ１４０３）。
【０１２０】
ステップＳ１４０３において、対象ＵＥよりデータ種別の優先度が高いＵＥが存在すると判断した場合（ステップＳ１４０３：Ｙｅｓ）は、ｅＮＢ６１０は、ステップＳ１４０４へ移行する。すなわち、ｅＮＢ６１０は、対象ＵＥのＣＱＩ送信電力を、ターゲット電力を上限として所定単位（小）だけ増加させ（ステップＳ１４０４）、一連の電力調整の処理を終了する。ステップＳ１４０４において送信電力を増加させる所定単位は、たとえばステップＳ１４０２，Ｓ１４０６と比べて小さい単位とする。これにより、対象ＵＥのＣＱＩ送信電力の調整の速さが比較的遅くなる。
【０１２１】
ステップＳ１４０３において、対象ＵＥよりデータ種別の優先度が高いＵＥが存在しないと判断した場合（ステップＳ１４０３：Ｎｏ）は、ｅＮＢ６１０は、対象ＵＥの調整回数（ｕｐ）が１回か否かを判断する（ステップＳ１４０５）。調整回数（ｕｐ）は、その対象ＵＥのＣＱＩ送信電力を上げる調整の実行回数である。たとえば、調整回数（ｕｐ）は、初期値が０であり、図１２に示すステップＳ１２０６へ移行するごとにカウントアップされる。
【０１２２】
ステップＳ１４０５において、調整回数（ｕｐ）が１回である場合（ステップＳ１４０５：Ｙｅｓ）は、ｅＮＢ６１０は、ステップＳ１４０６へ移行する。すなわち、ｅＮＢ６１０は、対象ＵＥのＣＱＩ送信電力を、ターゲット電力を上限として所定単位（大）だけ増加させ（ステップＳ１４０６）、一連の電力調整の処理を終了する。ステップＳ１４０６において送信電力を増加させる所定単位は、たとえばステップＳ１４０４と比べて大きい単位とする。これにより、対象ＵＥのＣＱＩ送信電力の調整の速さが比較的速くなる。
【０１２３】
ステップＳ１４０５において、調整回数（ｕｐ）が１回でない場合（ステップＳ１４０５：Ｎｏ）は、ｅＮＢ６１０は、ステップＳ１４０７へ移行する。すなわち、ｅＮＢ６１０は、対象ＵＥの調整回数（ｕｐ）が、対象ＵＥのＣＱＩ送信タイミングにおいてＣＱＩを送信する各ＵＥの中で最小か否かを判断する（ステップＳ１４０７）。
【０１２４】
ステップＳ１４０７において、対象ＵＥの調整回数（ｕｐ）が最小である場合（ステップＳ１４０７：Ｙｅｓ）は、ｅＮＢ６１０は、ステップＳ１４０６へ移行する。対象ＵＥの調整回数（ｕｐ）が最小でない場合（ステップＳ１４０７：Ｎｏ）は、ｅＮＢ６１０は、ステップＳ１４０８へ移行する。すなわち、ｅＮＢ６１０は、対象ＵＥのＣＱＩ送信電力を、ステップＳ１２０５によって設定したターゲット電力となるように調整し（ステップＳ１４０８）、一連の電力調整の処理を終了する。
【０１２５】
また、図１２に示したステップＳ１２０６におけるターゲット電力に基づく電力調整（ｕｐ）の処理は、図１３，図１４に示した処理に限らず、各種の変更が可能である。たとえば、図１４に示した処理のステップＳ１４０３において、対象ＵＥよりデータ種別の優先度が高いＵＥが存在しないと判断した場合は、ｅＮＢ６１０は、対象ＵＥのＣＱＩ送信電力を上げる調整を行わずに、一連の電力調整の処理を終了してもよい。また、優先度は、データ種別の優先度に限らず、たとえば対象ＵＥのユーザの契約プランなど、各種の優先度とすることができる。
【０１２６】
ここで、データ種別および優先度の一例について説明する。たとえば、最も優先度が高いランク１のデータ種別としては、緊急呼出（Ｅｍｅｒｇｅｎｃｙ  Ｃａｌｌ）やメディカルインフォメーション（Ｍｅｄｉｃａｌ  Ｉｎｆｏｒｍａｔｉｏｎ）などがある。ランク１に次いで優先度が高いランク２のデータ種別としては、たとえばＶｏＬＴＥによる音声通話などがある。
【０１２７】
ランク２に次いで優先度が高いランク３のデータ種別としては、たとえばＷｅｂブラウザなどによるＷｅｂデータ（Ｗｅｂ  ｉｎｆｏ）やアプリケーションデータ（Ａｐｐｌｉ）などがある。ランク３に次いで優先度が高いランク４のデータ種別としては、たとえばセンサネットワークのセンサノードからのセンシングデータなどがある。
【０１２８】
このように、ｅＮＢ６１０は、対象ＵＥからｅＮＢ６１０へのデータ信号の種別と、対象ＵＥと異なるＵＥからｅＮＢ６１０へのデータ信号の種別と、の比較結果に基づいて、対象ＵＥのＣＱＩ送信電力の調整の速さを設定する。これにより、優先度が他のＵＥより高い種別のデータ信号のＡＦＣに用いられるＣＱＩについては送信電力を高くし、優先度がより高い種別のデータ信号のスループットを優先的に向上させることができる。また、優先度が他のＵＥより低い種別のデータ信号のＡＦＣに用いられるＣＱＩについては送信電力を低くし、他ＵＥのＣＱＩへの干渉を抑制することができる。
【０１２９】
また、ｅＮＢ６１０は、対象ＵＥについてのＣＱＩ送信電力の調整の回数に基づいて、対象ＵＥのＣＱＩ送信電力の調整の速さを設定する。これにより、たとえばＣＱＩ送信電力の調整の回数が少なくＣＱＩ送信電力の増加によりスループットが改善される可能性が高いＵＥについてのＣＱＩ送信電力を優先的に調整し、ｅＮＢ６１０のセル内でのスループットを効率よく向上させることができる。
【０１３０】
また、ｅＮＢ６１０は、対象ＵＥについてのＣＱＩ送信電力の調整の回数と、対象ＵＥと異なる端末装置についてのＣＱＩ送信電力の調整の回数と、の比較結果に基づいて、対象ＵＥのＣＱＩ送信電力の調整の速さを設定する。これにより、たとえばＣＱＩ送信電力の調整の回数が少なくＣＱＩ送信電力の増加によりスループットが改善される可能性が高いＵＥについてのＣＱＩ送信電力を優先的に調整し、ｅＮＢ６１０のセル内でのスループットを効率よく向上させることができる。
【０１３１】
（実施の形態にかかるｅＮＢによる対象ＵＥのＣＱＩ送信電力を下げる調整の処理）
図１５は、実施の形態にかかるｅＮＢによる対象ＵＥのＣＱＩ送信電力を下げる調整の処理の一例を示すフローチャートである。図１１に示したステップＳ１１１１において、ｅＮＢ６１０は、対象ＵＥのＣＱＩ送信電力を下げる調整の処理として、たとえば図１５に示す処理を実行する。
【０１３２】
図１５に示すステップＳ１５０１，Ｓ１５０２は、図１２に示したステップＳ１２０１，Ｓ１２０２と同様である。ステップＳ１５０２において、対象ＵＥとＣＱＩ送信タイミングが同じＵＥが存在すると判断した場合（ステップＳ１５０２：Ｙｅｓ）は、ｅＮＢ６１０は、ステップＳ１５０３へ移行する。すなわち、ｅＮＢ６１０は、対象ＵＥのＣＱＩ送信電力が、対象ＵＥのＣＱＩ送信タイミングにおいてＣＱＩを送信する各ＵＥの中で最大か否かを判断する（ステップＳ１５０３）。
【０１３３】
ステップＳ１５０３において、対象ＵＥのＣＱＩ送信電力が最大でない場合（ステップＳ１５０３：Ｎｏ）は、対象ＵＥのＣＱＩ送信タイミングにおいて、対象ＵＥは大きな干渉源にはなっていないと判断することができる。この場合は、ｅＮＢ６１０は、対象ＵＥのＣＱＩ送信電力を下げずに、一連の調整の処理を終了する。
【０１３４】
ステップＳ１５０３において、対象ＵＥのＣＱＩ送信電力が最大である場合（ステップＳ１５０３：Ｙｅｓ）は、対象ＵＥのＣＱＩ送信タイミングにおいて、対象ＵＥが大きな干渉源になっている可能性があると判断することができる。この場合は、ｅＮＢ６１０は、所定の電力調整（ｄｏｗｎ）を実施し（ステップＳ１５０４）、一連の調整の処理を終了する。ステップＳ１５０４における電力調整（ｄｏｗｎ）の処理については後述する（たとえば図１６参照）。
【０１３５】
このように、ｅＮＢ６１０は、ＡＦＣを行った対象ＵＥからのＰＵＳＣＨ（データ信号）のスループット（受信品質）が閾値（所定の受信品質）以上であり、対象ＵＥのＣＱＩ送信電力が最大である場合に、対象ＵＥのＣＱＩ送信電力を低下させる調整を行う。これにより、対象ＵＥのＣＱＩ送信タイミングにおいて対象ＵＥが最大の干渉源である可能性が高い場合に対象ＵＥのＣＱＩ送信電力を低下させ、対象ＵＥのＣＱＩによる他ＵＥへの干渉を低減することができる。
【０１３６】
（実施の形態にかかるｅＮＢによる電力調整（ｄｏｗｎ）の処理）
図１６は、実施の形態にかかるｅＮＢによる電力調整（ｄｏｗｎ）の処理の一例を示すフローチャートである。図１５に示したステップＳ１５０４において、ｅＮＢ６１０は、たとえば、電力調整（ｄｏｗｎ）の処理として、たとえば図１６に示す処理を実行する。まず、ｅＮＢ６１０は、対象ＵＥのデータ種別の優先度が、対象ＵＥとＣＱＩ送信タイミングが同じいずれのＵＥよりも高いか否かを判断する（ステップＳ１６０１）。
【０１３７】
ステップＳ１６０１において、対象ＵＥのデータ種別の優先度がいずれのＵＥよりも高い場合（ステップＳ１６０１：Ｙｅｓ）は、ｅＮＢ６１０は、ステップＳ１６０２へ移行する。すなわち、ｅＮＢ６１０は、対象ＵＥのＣＱＩ送信電力を、所定単位（小）だけ減少させ（ステップＳ１６０２）、一連の電力調整の処理を終了する。ステップＳ１６０２において送信電力を減少させる所定単位は、たとえばステップＳ１６０５と比べて小さい単位とする。
【０１３８】
ステップＳ１６０１において、対象ＵＥのデータ種別の優先度がいずれかのＵＥに対して低いまたは同じ場合（ステップＳ１６０１：Ｎｏ）は、ｅＮＢ６１０は、ステップＳ１６０３へ移行する。すなわち、ｅＮＢ６１０は、対象ＵＥとＣＱＩ送信タイミングが同じＵＥの中で、対象ＵＥよりデータ種別の優先度が高いＵＥが存在するか否かを判断する（ステップＳ１６０３）。
【０１３９】
ステップＳ１６０３において、対象ＵＥよりデータ種別の優先度が高いＵＥが存在すると判断した場合（ステップＳ１６０３：Ｙｅｓ）は、ｅＮＢ６１０は、ステップＳ１６０４へ移行する。すなわち、ｅＮＢ６１０は、対象ＵＥよりデータ種別の優先度が高いＵＥ（該当ＵＥ）のＣＱＩ送信電力を、対象ＵＥのＣＱＩ送信電力のターゲット電力に設定する（ステップＳ１６０４）。
【０１４０】
つぎに、ｅＮＢ６１０は、ステップＳ１６０４によって設定したターゲット電力を下限として所定単位（大）だけ減少させ（ステップＳ１６０５）、一連の電力調整の処理を終了する。ステップＳ１６０５において送信電力を減少させる所定単位は、たとえばステップＳ１６０２，Ｓ１６０６と比べて大きい単位とする。
【０１４１】
ステップＳ１６０３において、対象ＵＥよりデータ種別の優先度が高いＵＥが存在しないと判断した場合（ステップＳ１６０３：Ｎｏ）は、ステップＳ１６０６へ移行する。すなわち、ｅＮＢ６１０は、対象ＵＥのＣＱＩ送信電力を、所定単位（小）だけ減少させ（ステップＳ１６０６）、一連の電力調整の処理を終了する。ステップＳ１６０６において送信電力を減少させる所定単位は、たとえばステップＳ１６０５と比べて小さい単位とする。
【０１４２】
（実施の形態にかかるｅＮＢによる電力調整確認処理）
図１７および図１８は、実施の形態にかかるｅＮＢによる電力調整確認処理の一例を示すフローチャートである。ｅＮＢ６１０は、ＰＵＣＣＨを受信するごとに（ＰＵＣＣＨ受信時）、受信したＰＵＣＣＨによってＣＱＩを送信した各ＵＥを対象ＵＥとして、図１１に示した処理とともに、図１７，図１８に示す処理を実行してもよい。たとえば、ｅＮＢ６１０は、ＰＵＣＣＨを受信するごとに、各ＵＥを対象として図１７，図１８に示す処理を実行した後に、各ＵＥを対象として図１１に示した処理を実行する。また、ｅＮＢ６１０は、自局が形成するセルごとに図１７，図１８に示す処理を実行する。
【０１４３】
まず、ｅＮＢ６１０は、対象ＵＥのスループットを計算する（ステップＳ１７０１）。ステップＳ１７０１によるスループットの計算の処理は、図１１に示したステップＳ１１０１によるスループットの計算の処理と同様である。つぎに、ｅＮＢ６１０は、対象ＵＥのＣＱＩ送信電力調整実施フラグ（ｕｐ）がＯＮか否かを判断する（ステップＳ１７０２）。ＣＱＩ送信電力調整実施フラグ（ｕｐ）は、たとえば図１１に示したステップＳ１１０９によってＯＮに設定される。
【０１４４】
ステップＳ１７０２において、ＣＱＩ送信電力調整実施フラグ（ｕｐ）がＯＮである場合（ステップＳ１７０２：Ｙｅｓ）は、ｅＮＢ６１０は、対象ＵＥのスループットが改善したか否かを判断する（ステップＳ１７０３）。ステップＳ１７０３の判断は、図１１に示したステップＳ１１０７により保持した対象ＵＥの調整前のスループットと、ステップＳ１７０２により計算した対象ＵＥの現在のスループットと、を比較することにより行うことができる。また、ｅＮＢ６１０は、ステップＳ１７０３において、対象のＵＥのスループットが一定量以上改善したか否かを判断してもよい。
【０１４５】
ステップＳ１７０３において、スループットが改善していない場合（ステップＳ１７０３：Ｎｏ）は、ｅＮＢ６１０は、対象ＵＥのスループット改善確認試行回数が閾値より大きいか否かを判断する（ステップＳ１７０４）。対象ＵＥのスループット改善確認試行回数は、対象ＵＥのスループットの改善確認の試行回数であり、初期値は０である。スループット改善確認試行回数が閾値より大きくない場合（ステップＳ１７０４：Ｎｏ）は、ｅＮＢ６１０は、ステップＳ１７０５へ移行する。すなわち、ｅＮＢ６１０は、対象ＵＥのスループット改善確認試行回数をカウントアップ（＋１）し（ステップＳ１７０５）、対象ＵＥについての一連の電力調整の処理を終了する。
【０１４６】
ステップＳ１７０４において、スループット改善確認試行回数が閾値より大きい場合（ステップＳ１７０４：Ｙｅｓ）は、ｅＮＢ６１０は、対象ＵＥのＣＱＩ送信電力を、対象ＵＥの調整前のＣＱＩ送信電力に戻す（ステップＳ１７０６）。対象ＵＥの調整前のＣＱＩ送信電力は、たとえば図１１に示したステップＳ１１０７により保持した対象ＵＥのＣＱＩ送信電力である。
【０１４７】
つぎに、ｅＮＢ６１０は、対象ＵＥのＣＱＩ送信電力調整実施フラグ（ｕｐ）をＯＦＦにする（ステップＳ１７０７）。また、ｅＮＢ６１０は、対象ＵＥのスループット改善確認試行回数を初期化する（ステップＳ１７０８）。すなわち、ｅＮＢ６１０は、対象ＵＥのスループット改善確認試行回数を０にする。また、ｅＮＢ６１０は、図１１に示したステップＳ１１０７によって保持している対象ＵＥのスループットをクリアし（ステップＳ１７０９）、対象ＵＥについての一連の処理を終了する。
【０１４８】
ステップＳ１７０３において、スループットが改善した場合（ステップＳ１７０３：Ｙｅｓ）は、ｅＮＢ６１０は、対象ＵＥのＣＱＩ送信電力調整実施フラグ（ｕｐ）をＯＦＦにする（ステップＳ１７１０）。また、ｅＮＢ６１０は、対象ＵＥのスループット改善確認試行回数を初期化する（ステップＳ１７１１）。すなわち、ｅＮＢ６１０は、対象ＵＥのスループット改善確認試行回数を０にする。また、ｅＮＢ６１０は、図１１に示したステップＳ１１０７によって保持している対象ＵＥのスループットをクリアし（ステップＳ１７１２）、対象ＵＥについての一連の処理を終了する。
【０１４９】
ステップＳ１７０２において、ＣＱＩ送信電力調整実施フラグ（ｕｐ）がＯＮでない場合（ステップＳ１７０２：Ｎｏ）は、ｅＮＢ６１０は、対象ＵＥのＣＱＩ送信電力調整実施フラグ（ｄｏｗｎ）がＯＮか否かを判断する（ステップＳ１７１３）。ＣＱＩ送信電力調整実施フラグ（ｄｏｗｎ）は、たとえば図１１に示したステップＳ１１１２によってＯＮに設定される。
【０１５０】
ステップＳ１７１３において、ＣＱＩ送信電力調整実施フラグ（ｄｏｗｎ）がＯＮでない場合（ステップＳ１７１３：Ｎｏ）は、ｅＮＢ６１０は、対象ＵＥについての一連の処理を終了する。ＣＱＩ送信電力調整実施フラグ（ｄｏｗｎ）がＯＮである場合（ステップＳ１７１３：Ｙｅｓ）は、ｅＮＢ６１０は、対象ＵＥのスループットが悪化したか否かを判断する（ステップＳ１７１４）。ステップＳ１７１４の判断は、図１１に示したステップＳ１１０７により保持した対象ＵＥの調整前のスループットと、ステップＳ１７０２により計算した対象ＵＥの現在のスループットと、を比較することにより行うことができる。また、ｅＮＢ６１０は、ステップＳ１７１４において、対象のＵＥのスループットが一定量以上悪化したか否かを判断してもよい。
【０１５１】
ステップＳ１７１４において、スループットが悪化していない場合（ステップＳ１７１４：Ｎｏ）は、ｅＮＢ６１０は、対象ＵＥのスループット変化なし確認試行回数が閾値より大きいか否かを判断する（ステップＳ１７１５）。スループット変化なし確認試行回数は、対象ＵＥのＣＱＩ送信電力を下げる調整によってスループットが悪化していないことを確認した回数を示す情報であり、初期値は０である。
【０１５２】
ステップＳ１７１５において、スループット変化なし確認試行回数が閾値より大きくない場合（ステップＳ１７１５：Ｎｏ）は、ｅＮＢ６１０は、ステップＳ１７１６へ移行する。すなわち、ｅＮＢ６１０は、対象ＵＥのスループット変化なし確認試行回数をカウントアップ（＋１）し（ステップＳ１７１６）、対象ＵＥについての一連の電力調整の確認処理を終了する。
【０１５３】
ステップＳ１７１５において、スループット変化なし確認試行回数が閾値より大きい場合（ステップＳ１７１５：Ｙｅｓ）は、ｅＮＢ６１０は、対象ＵＥのＣＱＩ送信電力調整実施フラグ（ｄｏｗｎ）をＯＦＦにする（ステップＳ１７１７）。また、ｅＮＢ６１０は、対象ＵＥのスループット変化なし確認試行回数を初期化する（ステップＳ１７１８）。すなわち、ｅＮＢ６１０は、対象ＵＥのスループット変化なし確認試行回数を０にする。また、ｅＮＢ６１０は、図１１に示したステップＳ１１０７によって保持している対象ＵＥのスループットをクリアし（ステップＳ１７１９）、対象ＵＥについての一連の処理を終了する。
【０１５４】
ステップＳ１７１４において、スループットが悪化した場合（ステップＳ１７１４：Ｙｅｓ）は、ｅＮＢ６１０は、対象ＵＥのＣＱＩ送信電力を、対象ＵＥの調整前のＣＱＩ送信電力に戻す（ステップＳ１７２０）。対象ＵＥの調整前のＣＱＩ送信電力は、たとえば図１１に示したステップＳ１１０７により保持した対象ＵＥのＣＱＩ送信電力である。
【０１５５】
また、ｅＮＢ６１０は、対象ＵＥのＣＱＩ送信電力調整実施フラグ（ｄｏｗｎ）をＯＦＦにする（ステップＳ１７２１）。また、ｅＮＢ６１０は、対象ＵＥのスループット変化なし確認試行回数を初期化する（ステップＳ１７２２）。すなわち、ｅＮＢ６１０は、対象ＵＥのスループット変化なし確認試行回数を０にする。また、ｅＮＢ６１０は、図１１に示したステップＳ１１０７によって保持している対象ＵＥのスループットをクリアし（ステップＳ１７２３）、対象ＵＥについての一連の処理を終了する。
【０１５６】
このように、ｅＮＢ６１０は、ＣＱＩ送信電力の調整を行った場合に、調整の前後における各スループットを比較し、比較結果に基づいて、ＣＱＩ送信電力の調整の効果がない場合は調整前のＣＱＩ送信電力に戻す処理を行う。これにより、ＣＱＩ送信電力の調整を行ってもスループットが向上しないにも関わらずＣＱＩ送信電力の調整を継続してしまうことを回避し、各ＵＥにおける送信電力の制御を安定させることができる。
【０１５７】
なお、ステップＳ１７０４において用いられるスループット改善確認試行回数は、対象ＵＥのＣＱＩ送信タイミングの周期に応じて設定されてもよい。たとえば、スループット改善確認試行回数は、対象ＵＥのＣＱＩ送信タイミングの周期が短いほど大きく設定される。また、この場合に、対象ＵＥのＣＱＩ送信タイミングの周期が短いほど、ＣＱＩ送信電力の調整幅を小さくしてもよい。
【０１５８】
（実施の形態にかかるｅＮＢが記憶する各ＵＥの情報）
図１９は、実施の形態にかかるｅＮＢが記憶する各ＵＥの情報の一例を示す図である。ｅＮＢ６１０は、各ＵＥの情報として、たとえば図１９に示すＵＥ情報１９００をメモリに記憶する。ＵＥ情報１９００は、自セルに接続中の各ＵＥ（ＵＥ＃１〜ＵＥ＃Ｘとする）のそれぞれについて、ＣＱＩ送信タイミングと、スループットと、送信電力と、各種試行回数・処理フラグと、を含む。ＣＱＩ送信タイミングは、対応するＵＥがｅＮＢ６１０へＣＱＩを送信するタイミング（ＣＱＩ送信周期）である。
【０１５９】
スループットは、対象ＵＥについてのＣＱＩ送信電力の調整前のスループットと、対象ＵＥの現在（ＣＱＩ送信電力の調整後）のスループットと、を含む。対象ＵＥについてのＣＱＩ送信電力の調整前のスループットは、たとえば図１１に示したステップＳ１１０７によって保持されるスループットである。対象ＵＥの現在（ＣＱＩ送信電力の調整後）のスループットは、たとえば図１７，図１８に示したステップＳ１７０１によって計算されるスループットである。
【０１６０】
送信電力は、対象ＵＥについての調整前のＣＱＩ送信電力と、対象ＵＥの現在（調整後）のＣＱＩ送信電力と、を含む。対象ＵＥについての調整前のＣＱＩ送信電力は、たとえば図１１に示したステップＳ１１０７によって保持されるＣＱＩ送信電力である。対象ＵＥの現在（調整後）のＣＱＩ送信電力は、たとえば図１１に示したステップＳ１１０８，Ｓ１１１０，Ｓ１１１１による調整後のＣＱＩ送信電力である。
【０１６１】
各種試行回数・処理フラグは、スループット確認試行回数と、スループット改善確認試行回数と、スループット変化なし確認試行回数と、調整回数（ｕｐ）と、ＣＱＩ送信電力調整実施フラグ（ｕｐ）と、ＣＱＩ送信電力調整実施フラグ（ｄｏｗｎ）と、を含む。スループット確認試行回数は、初期値が０であり、たとえば図１１に示したステップＳ１１０４によってカウントアップされる。また、スループット確認試行回数は、たとえば図１１に示したステップＳ１１０６によって初期化される。
【０１６２】
スループット改善確認試行回数は、初期値が０であり、たとえば図１７，図１８に示したステップＳ１７０５によってカウントアップされる。スループット変化なし確認試行回数は、初期値が０であり、たとえば図１７，図１８に示したステップＳ１７１６によってカウントアップされる。調整回数（ｕｐ）は、初期値が０であり、たとえば図１２に示したステップＳ１２０６へ移行するごとにカウントアップされる。
【０１６３】
ＣＱＩ送信電力調整実施フラグ（ｕｐ）は、初期値がＯＦＦであり、たとえば図１１に示したステップＳ１１０９によってＯＮにされる。また、ＣＱＩ送信電力調整実施フラグ（ｕｐ）は、たとえば図１７，図１８に示したステップＳ１７０７，Ｓ１７１０によってＯＦＦにされる。ＣＱＩ送信電力調整実施フラグ（ｄｏｗｎ）は、初期値がＯＦＦであり、たとえば図１１に示したステップＳ１１１２によってＯＮにされる。また、ＣＱＩ送信電力調整実施フラグ（ｄｏｗｎ）は、たとえば図１７，図１８に示したステップＳ１７１７，Ｓ１７２１によってＯＦＦにされる。
【０１６４】
このように、実施の形態にかかるｅＮＢ６１０によれば、対象ＵＥからのＣＱＩの送信電力を、ＣＱＩの送信タイミングが対象ＵＥと同じである各ＵＥからのＣＱＩの送信電力に基づいて調整することができる。これにより、同じタイミングに多重された各ＣＱＩの送信電力を合わせ、ＣＱＩ間の干渉を抑制することができる。このため、特にセルの出入りが激しい過密通信環境、すなわちＰＵＣＣＨにおけるＣＱＩの多重数が多い環境において、ＣＱＩに基づくＡＦＣの精度の低下を防止することができる。
【０１６５】
以上説明したように、基地局装置によれば、ＡＦＣの精度の低下を防止することができる。
【０１６６】
なお、上述した実施の形態においては、ＡＦＣに用いられる所定信号の例としてＣＱＩについて説明したが、ＡＦＣに用いられる所定信号はＣＱＩに限らない。たとえば、ＡＦＣに用いられる所定信号は、複数の端末装置間によって同じタイミングで周期的に多重送信される信号とすることができる。
【０１６７】
上述した各実施の形態に関し、さらに以下の付記を開示する。
【０１６８】
（付記１）複数の端末装置からの所定信号が同一のタイミングに多重して送信される制御チャネルによって前記複数の端末装置のうち対象端末装置からの前記所定信号を受信し、受信した前記所定信号に基づいて、前記対象端末装置から受信したデータ信号に対する自動周波数制御を行う受信処理部と、
前記複数の端末装置のうち前記対象端末装置と異なる端末装置における前記所定信号の送信電力に基づいて、前記対象端末装置における前記所定信号の送信電力の調整を行う調整部と、
を備えることを特徴とする基地局装置。
【０１６９】
（付記２）前記調整部は、前記受信処理部によって前記自動周波数制御が行われた前記データ信号の受信品質が所定の受信品質より低い場合に、前記異なる端末装置の中で前記所定信号の送信電力が最大の端末装置における前記所定信号の送信電力に基づいて前記対象端末装置における前記所定信号の送信電力を増加させる前記調整を行うことを特徴とする付記１に記載の基地局装置。
【０１７０】
（付記３）前記調整部は、前記対象端末装置における前記所定信号の送信電力を、前記所定信号の送信電力が最大の端末装置における前記所定信号の送信電力となるように増加させる前記調整を行うことを特徴とする付記２に記載の基地局装置。
【０１７１】
（付記４）前記調整部は、前記異なる端末装置の中で前記所定信号の送信電力が前記対象端末装置より高い端末装置がない場合は、前記受信処理部によって前記自動周波数制御が行われた前記データ信号の受信品質が所定の受信品質より低い場合であっても前記調整を行わないことを特徴とする付記２または３に記載の基地局装置。
【０１７２】
（付記５）前記調整部は、前記対象端末装置が一定の速度以上で移動中である場合は、前記データ信号の受信品質が前記所定の受信品質より低い場合であっても前記調整を行わないことを特徴とする付記２〜４のいずれか一つに記載の基地局装置。
【０１７３】
（付記６）前記調整部は、前記受信処理部によって前記自動周波数制御が行われた前記データ信号の受信品質が所定の受信品質以上であり、前記複数の端末装置における前記所定信号の送信電力の中で前記対象端末装置における前記所定信号の送信電力が最大である場合に、前記対象端末装置における前記所定信号の送信電力を低下させる調整を行うことを特徴とする付記１〜５のいずれか一つに記載の基地局装置。
【０１７４】
（付記７）前記調整部は、前記対象端末装置における前記所定信号の送信電力の調整を行った場合に、前記受信処理部によって前記自動周波数制御が行われた前記データ信号についての前記調整の前後における各受信品質を比較し、比較結果に基づいて、前記対象端末装置における前記所定信号の送信電力を、前記調整の前における前記対象端末装置における前記所定信号の送信電力に戻すことを特徴とする付記１〜６のいずれか一つに記載の基地局装置。
【０１７５】
（付記８）前記調整部は、前記対象端末装置における前記所定信号の送信電力の調整において、前記対象端末装置から自装置へのデータ信号の種別に基づいて、前記対象端末装置における前記所定信号の送信電力の調整の速さを設定することを特徴とする付記１〜７のいずれか一つに記載の基地局装置。
【０１７６】
（付記９）前記調整部は、前記対象端末装置における前記所定信号の送信電力の調整において、前記対象端末装置から自装置へのデータ信号の種別と、前記異なる端末装置から自装置へのデータ信号の種別と、の比較結果に基づいて、前記対象端末装置における前記所定信号の送信電力の調整の速さを設定することを特徴とする付記１〜８のいずれか一つに記載の基地局装置。
【０１７７】
（付記１０）前記調整部は、前記対象端末装置における前記所定信号の送信電力の調整において、前記対象端末装置についての前記調整の回数に基づいて、前記対象端末装置における前記所定信号の送信電力の調整の速さを設定することを特徴とする付記１〜８のいずれか一つに記載の基地局装置。
【０１７８】
（付記１１）前記調整部は、前記複数の端末装置のそれぞれについて前記調整を行い、前記対象端末装置における前記所定信号の送信電力の調整において、前記対象端末装置についての前記調整の回数と、前記異なる端末装置についての前記調整の回数と、の比較結果に基づいて、前記対象端末装置における前記所定信号の送信電力の調整の速さを設定することを特徴とする付記１〜９のいずれか一つに記載の基地局装置。
【０１７９】
（付記１２）前記制御チャネルはＰＵＣＣＨ（Ｐｈｙｓｉｃａｌ  Ｕｐｌｉｎｋ  Ｃｏｎｔｒｏｌ  Ｃｈａｎｎｅｌ：物理上りリンク制御チャネル）であり、
前記所定信号はＣＱＩ（Ｃｈａｎｎｅｌ  Ｑｕａｌｉｔｙ  Ｉｎｄｉｃａｔｏｒ：チャネル品質指標）である、
ことを特徴とする付記１〜１１のいずれか一つに記載の基地局装置。
【符号の説明】
【０１８０】
１００  通信システム
１１０  基地局装置
１１１  受信処理部
１１２  調整部
１２１，１２２，…  端末装置
２０１，２０５  ベースバンド処理部
２０２  送信ＲＦ処理部／ＲＲＨ部
２０３，３０１，３０２，４０４，５０１，６１１  アンテナ
２０４  受信ＲＦ処理部／ＲＲＨ部
２０６  スケジューラ
２０７  装置制御部
３０３，５０３  インタフェース回路
３０４，５０２  ＲＦ回路
３１１，３２１  ＤＳＰ
３１２，３３２，３４１  ＦＰＧＡ
３１３，３２２，３３３，５０５  メモリ
３３１，５０４  ＣＰＵ
３４２  ＤＡＣ／ＡＤＣ
３４３  ミキサ
３４４  ＰＡ／ＬＮＡ
４０１  アプリケーション部
４０２  ベースバンド送受信処理部
４０３  ＲＦ処理部
６００  無線通信システム
６０１〜６０６  セル
６１０  ｅＮＢ
６１２，６１３，６１５，６１６  ＲＲＨ
６１４  フェムト基地局
６３１〜６３５  ＵＥ
６４１〜６４３  ＵＥ群
８００  帯域
８０１，８０２  ＰＵＣＣＨ
８０３  ＰＵＳＣＨ
９０１，９０２  ＵＬ信号
１０００  無線リソース
１０１０  フレーム
１０２０  サブフレーム
１０３０  スロット
１０５０  リソースブロック
１０６１，１０６２  ＣＱＩ送信タイミング
１０７１，１０７２  タイミング
１９００  ＵＥ情報
【図１】
2017092511.tif 000003
【図２】
2017092511.tif 000004
【図３】
2017092511.tif 000005
【図４】
2017092511.tif 000006
【図５】
2017092511.tif 000007
【図６】
2017092511.tif 000008
【図７】
2017092511.tif 000009
【図８】
2017092511.tif 000010
【図９】
2017092511.tif 000011
【図１０】
2017092511.tif 000012
【図１１】
2017092511.tif 000013
【図１２】
2017092511.tif 000014
【図１３】
2017092511.tif 000015
【図１４】
2017092511.tif 000016
【図１５】
2017092511.tif 000017
【図１６】
2017092511.tif 000018
【図１７】
2017092511.tif 000019
【図１８】
2017092511.tif 000020
【図１９】
2017092511.tif 000021